(57)【要約】  無線送信装置は、送信信号の一部の周波数帯域の信号に対する周波数領域の処理によって、該信号による与干渉回避帯域への漏洩電力を部分的に抑圧する与干渉抑圧伝送信号を生成する第１の与干渉抑圧処理手段７１と、送信信号の一部または全部の周波数帯域の信号に対する時間領域の処理によって、該信号による与干渉回避帯域への漏洩電力を抑圧する与干渉抑圧伝送信号を生成する第２の与干渉抑圧処理手段７２とを備えたことを特徴とする。
2011104998.tif 000002
【特許請求の範囲】
【請求項１】
送信信号の一部の周波数帯域の信号に対する周波数領域の処理によって、該信号による与干渉回避帯域への漏洩電力を部分的に抑圧する与干渉抑圧伝送信号を生成する第１の与干渉抑圧処理手段と、
送信信号の一部または全部の周波数帯域の信号に対する時間領域の処理によって、該信号による与干渉回避帯域への漏洩電力を抑圧する与干渉抑圧伝送信号を生成する第２の与干渉抑圧処理手段とを備えた
ことを特徴とする無線送信装置。
【請求項２】
第１の与干渉抑圧処理手段は、送信信号のうち与干渉回避帯域に近接する周波数帯域の信号に対して、周波数領域の処理を行う
請求項１に記載の無線送信装置。
【請求項３】
第２の与干渉抑圧処理手段は、送信信号のうち第１の与干渉抑圧処理手段によって周波数領域の処理が行われない周波数帯域の信号に対して、時間領域の処理を行う
請求項１または請求項２に記載の無線送信装置。
【請求項４】
所要とする与干渉抑圧の強弱を示す与干渉抑圧要求情報に基づいて、送信信号の周波数帯域に対して、周波数領域の処理によって与干渉抑圧を行う帯域の範囲と、時間領域の処理によって与干渉抑圧を行う帯域の範囲とを決定する与干渉抑圧処理割当手段を備える
請求項１から請求項３のうちのいずれか１項に記載の無線送信装置。
【請求項５】
第１の与干渉抑圧処理手段が漏洩電力を抑圧する対象とする与干渉回避帯域の部分帯域が、送信帯域近傍である
請求項１から請求項４のうちのいずれか１項に記載の無線送信装置。
【請求項６】
第１の与干渉抑圧処理手段は、与干渉回避帯域において部分的に漏洩電力を抑圧する信号である漏洩電力抑圧信号を生成する漏洩電力抑圧信号生成手段を含み、
第２の与干渉抑圧処理手段は、時間領域のシンボル波形の整形を行うシンボル波形整形手段を含む
請求項１から請求項５のうちのいずれか１項に記載の無線送信装置。
【請求項７】
所要とする与干渉抑圧の強弱を示す与干渉抑圧要求情報または与干渉抑圧処理のパラメータとなる所定の制御情報に基づいて、第１の与干渉抑圧処理手段または第２の与干渉抑圧処理手段の動作パラメータを変化させる動作パラメータ変更手段を備え、
前記動作パラメータ変更手段は、前記与干渉抑圧要求情報または所定の制御情報に応じて、漏洩電力抑圧信号の数を変更し、変更後の漏洩電力抑圧信号の数を送信先装置に通知する
請求項６に記載の無線送信装置。
【請求項８】
所要とする与干渉抑圧の強弱を示す与干渉抑圧要求情報または与干渉抑圧処理のパラメータとなる所定の制御情報に基づいて、第１の与干渉抑圧処理手段または第２の与干渉抑圧処理手段の動作パラメータを変化させる動作パラメータ変更手段を備え、
前記動作パラメータ変更手段は、前記与干渉抑圧要求情報または所定の制御情報に応じて、第１の与干渉抑圧処理手段が漏洩電力を抑圧する対象とする与干渉回避帯域の部分帯域の帯域幅を変更する
請求項６または請求項７に記載の無線送信装置。
【請求項９】
漏洩電力抑圧信号生成手段は、
与干渉回避帯域の情報と、周波数領域の処理による与干渉抑圧の対象とされた送信信号が周波数マッピングされた送信シンボルの情報とを入力し、前記送信シンボルとして、与干渉回避帯域の部分帯域への漏洩電力を抑圧するシンボルである与干渉除去シンボルを挿入した送信信号を生成する与干渉除去シンボル生成手段と、
前記与干渉除去シンボル生成手段から供給される送信信号を入力し、前記送信信号に対して逆フーリエ変換処理を行い、サブキャリア信号を生成する逆フーリエ変換手段と、
前記逆フーリエ変換手段から供給されるサブキャリア信号を入力し、前記サブキャリア信号をシリアル信号に変換して出力するパラレル／シリアル変換手段と、
前記パラレル／シリアル変換手段から供給される信号を入力して、逆フーリエ変換が行われた送信フレーム毎にガードインターバルを付加するガードインターバル付加手段とを有する
請求項６または請求項７に記載の無線送信装置。
【請求項１０】
周波数領域の処理によって与干渉抑圧を行う帯域の範囲および時間領域の処理によって与干渉抑圧を行う帯域の範囲が、無線リソースの単位で決定される
請求項１から請求項９のうちのいずれか１項に記載の無線送信装置。
【請求項１１】
周波数領域の処理によって与干渉抑圧を行う帯域の範囲および時間領域の処理によって与干渉抑圧を行う帯域の範囲が、サブキャリア単位で決定される
請求項１０に記載の無線送信装置。
【請求項１２】
送信信号の一部の周波数帯域の信号に対する周波数領域の処理によって、該信号による与干渉回避帯域への漏洩電力を部分的に抑圧する与干渉抑圧伝送信号を生成するとともに、
送信信号の一部または全部の周波数帯域の信号に対する時間領域の処理によって、該信号による与干渉回避帯域への漏洩電力を抑圧する与干渉抑圧伝送信号を生成する
ことを特徴とする無線送信方法。
【請求項１３】
送信信号のうちの与干渉回避帯域に近接する周波数帯域の信号に対して、周波数領域の処理を行う
請求項１２に記載の無線送信方法。
【請求項１４】
送信信号のうち周波数領域の処理による与干渉抑圧伝送信号の生成を行わない周波数帯域の信号に対して、時間領域の処理を行う
請求項１２または請求項１３に記載の無線送信方法。
【請求項１５】
所要とする与干渉抑圧の強弱を示す与干渉抑圧要求情報に基づいて、送信信号の周波数帯域に対して、周波数領域の処理によって与干渉抑圧を行う帯域の範囲と、時間領域の処理によって与干渉抑圧を行う帯域の範囲とを決定する
請求項１２から請求項１４のうちのいずれか１項に記載の無線送信方法。
【請求項１６】
コンピュータに、
送信信号の一部の周波数帯域の信号に対する周波数領域の処理によって、該信号による与干渉回避帯域への漏洩電力を部分的に抑圧する与干渉抑圧伝送信号を生成する第１の与干渉抑圧処理、および
送信信号の一部または全部の周波数帯域の信号に対する時間領域の処理によって、該信号による与干渉回避帯域への漏洩電力を抑圧する与干渉抑圧伝送信号を生成する第２の与干渉抑圧処理
を実行させるための無線送信プログラム。
【請求項１７】
コンピュータに、
第１の与干渉抑圧処理で、送信信号のうち与干渉回避帯域に近接する周波数帯域の信号に対して、周波数領域の処理を行わせる
請求項１６に記載の無線送信プログラム。
【請求項１８】
無線信号を送信する無線送信装置と、前記無線送信装置が送信する無線信号を検出する検出部を含む与干渉量測定装置とを備え、
前記与干渉量測定装置は、
前記無線送信装置が送信する無線信号による与干渉回避帯域への与干渉量を測定または予測する与干渉量測定手段と、
前記与干渉量測定手段によって測定または予測した与干渉量を元に、所要とする与干渉抑圧の強弱を示す与干渉抑圧要求情報、または前記無線送信装置が与干渉抑圧処理として実施する送信信号の一部の信号に対する周波数領域の処理および送信信号の一部または全部の信号に対する時間領域の処理のパラメータとなる所定の制御情報を含む制御信号を生成し、前記無線送信装置に通知する制御信号通知手段とを含む
ことを特徴とする無線通信システム。
【請求項１９】
無線送信装置が与干渉抑圧処理として実施する送信信号の一部の信号に対する周波数領域の処理および送信信号の一部または全部の信号に対する時間領域の処理のパラメータとなる所定の制御情報が、送信信号のうち周波数領域の処理により与干渉抑圧される無線リソースの数と、周波数領域の処理において漏洩電力を抑圧する対象とする与干渉回避帯域の部分帯域の帯域幅と、周波数領域の処理において漏洩電力を抑圧する対象とする与干渉回避帯域の部分帯域の周波数位置と、周波数領域の処理において漏洩電力を抑圧するために生成される漏洩電力抑圧信号数と、時間領域の処理においてシンボル波形生成の対象となる前後シンボルの重複長とのうちの少なくともいずれかである
請求項１８に記載の無線通信システム。
【発明の詳細な説明】
【技術分野】
【０００１】
本発明は、無線送信装置、無線送信方法、無線送信プログラムおよび無線通信システムに関する。
【背景技術】
【０００２】
次世代無線通信システムでは、伝送速度の広帯域化やシステムの多様化に伴い、周波数資源の枯渇が懸念されている。近年、周辺の電波環境や利用者のニーズを認知し、自律的に最適な通信を行うコグニティブ無線が検討されている。このコグニティブ無線において既存の無線システムに割り当てられている周波数帯を別の無線システムが２次利用するダイナミックスペクトルアクセスが周波数資源の有効利用の観点から注目を集めている。具体的には、ダイナミックスペクトルアクセスは、新規の無線システムである２次システムが既存の無線システムである１次システムに割り当てられた周波数帯の空きスペクトルを１次システムの通信を妨げないように利用するものである。【０００３】
図２７は、ダイナミックスペクトルアクセスを行う通信システムの一例を示す説明図である。図２７に示す例では、１次システム２２１０に割り当てられた周波数帯の空きスペクトルを、２次システム２２２０が、１次システム２２１０の通信を妨げないように利用する。すなわち、２次システム２２２０の上りまたは下り回線は、１次システム２２１０の上りまたは下り回線に割り当てられた周波数帯を共用する。【０００４】
図２７に示す通信システムにおいて、１次システム２２１０は、１次システム基地局２２１１と、１次システム移動局２２１２と、１次システム移動局２２１３とを含んでいる。１次システム基地局２２１１は、１次システム移動局２２１２および１次システム移動局２２１３との間で各々にデータを送受信する。【０００５】
また、２次システム２２２０は、２次システム基地局２２２１と、２次システム移動局２２２２と、２次システム移動局２２２３とを含んでいる。２次システム基地局２２２１は、２次システム移動局２２２２および２次システム移動局２２２３との間で各々にデータを送受信する。【０００６】
ダイナミックスペクトルアクセスの例としては、図２７に示す例の他に、標準化規格ＩＥＥＥ８０２．２２  ＷＲＡＮ（Ｗｉｒｅｌｅｓｓ  Ｒｅｇｉｏｎａｌ  Ａｒｅａ  Ｎｅｔｗｏｒｋ）を挙げることができる。ＩＥＥＥ８０２．２２は、米国における既存の１次システムである地上波テレビジョン放送やワイヤレスマイクロフォンの周波数帯において、２次システムである固定無線アクセスシステムが１次システムの周波数帯の空きチャネルを利用するシステムの標準規格である。【０００７】
次に、ダイナミックスペクトルアクセスに関する与干渉抑圧技術について説明する。図２８は、１次システムの使用帯域と２次システムのスペクトルの例を示す説明図である。図２８（ａ）は１次システムの使用帯域と与干渉抑圧技術適用前の２次システムのスペクトルのイメージとを示す模式図であり、図２８（ｂ）は１次システムの使用帯域と与干渉抑圧技術適用後の２次システムのスペクトルのイメージとを示す模式図である。なお、図２８において、横軸は周波数を表し、縦軸は電力密度を表す。【０００８】
原則として、２次システムは１次システムの通信を妨げないように通信する必要があるため、図２８に示す例では、２次システムスペクトル２３０２−１および２３０２−２は、１次システム使用帯域２３０１−１、２３０１−２、２３０１−３への与干渉を抑圧して送信しなければならない。しかし、実際の送信スペクトルには、図２８（ａ）に示すように、送信しようとする帯域外に漏れ込む漏洩電力が存在する。この漏洩電力によって、２次システムの一部のスペクトルが１次システムに対して干渉を及ぼすことが懸念される。ここで、１次システム使用帯域との間に十分なガードバンド（ガード用の空き帯域）を設けることにより、１次システムへの干渉を抑圧することができる。しかし、ガードバンドを十分に設けようとすると、周波数利用効率の低下が懸念される。【０００９】
以上のように、複数システムが同一周波数帯を共用するコグニティブ無線の技術を適用する通信システムにおいては、２次システムは、周波数利用効率を低下させることなく、１次システムに対する与干渉を抑圧して伝送することが重要である。２次システムがＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ベースの無線アクセス方式を採用するシステムの場合は、サブキャリアのサイドローブ成分により帯域外への漏洩電力が大きくなるため、与干渉抑圧対策が特に重要となる。【００１０】
１次システムに対する与干渉を抑圧する与干渉抑圧伝送方法としては、例えば、デジタルフィルタ方式、ヌル再生法、ガウス形マルチキャリア方式、サブキャリアウェイティング、Ｔｉｍｅ  ｗｉｎｄｏｗｉｎｇ、ＡＩＣ（Ａｃｔｉｖｅ  Ｉｎｔｅｒｆｅｒｅｎｃｅ  Ｃａｎｃｅｌｌａｔｉｏｎ）を挙げることができる。デジタルフィルタ方式は、ＦＩＲ（Ｆｉｎｉｔｅ  Ｉｍｐｌｕｓｅ  Ｒｅｓｐｏｎｓｅ）フィルタやＩＩＲ（Ｉｎｆｉｎｉｔｅ  Ｉｍｐｌｕｓｅ  Ｒｅｓｐｏｎｓｅ）フィルタによりスペクトルを整形する方法である。ヌル再生法は、複数ＯＦＤＭシンボル結合後にＦＦＴ（Ｆａｓｔ  Ｆｏｕｒｉｅｒ  Ｔｒａｎｓｆｏｒｍ）し、ヌルサブキャリア置換した後にＩＦＦＴ（Ｉｎｖｅｒｓｅ  Ｆａｓｔ  Ｆｏｕｒｉｅｒ  Ｔｒａｎｓｏｒｍ）する方法である。ガウス形マルチキャリア方式は、ガウスパルス波形でスペクトル整形を行うマルチキャリア伝送方式である。サブキャリアウェイティングは、サブキャリア信号に変換されるシンボル間に重み付けを行うことによって与干渉を抑圧する方式である。Ｔｉｍｅ  ｗｉｎｄｏｗｉｎｇは、時間領域でＯＦＤＭシンボルを整形する方式である。ＡＩＣは、帯域外漏洩成分をキャンセルするためのトーンを発生させることによって与干渉を抑圧する方式である。以下、これらのうち、商用化されている既存の無線システムとの親和性が高く、周囲の電波状況に合わせて動的に与干渉抑圧できるＡＩＣについて説明する。【００１１】
図２９は、非特許文献１に記載されたＡＩＣ方式の例を示す説明図である。図９は、横軸を周波数、縦軸を電力密度とし、１次システム使用帯域２５０１の両側において２次システムがスペクトル２５０２−１および２５０２−２を送信している様子を示している。ＡＩＣは、１次システム使用帯域への２次システムスペクトルの漏れ込み成分を打ち消すための専用トーン（ＡＩＣトーン）を設けることにより、２次システムの帯域外電力を抑圧する方式である。図２９に示す例では、１次システム使用帯域２５０１の外側に１本ずつ、計２本のＡＩＣトーン２５０３−１および２５０３−２を設けることにより、２次システムの帯域外電力を抑圧している。ＡＩＣを利用すれば、帯域外電力を大きく抑圧することができる。【００１２】
また、図３０は、ＡＩＣの変形例である非特許文献２に記載されたＣＣ（Ｃａｎｃｅｌｌａｔｉｏｎ  Ｃａｒｒｉｅｒ）方式の例を示す説明図である。図３０は、横軸を周波数、縦軸を電力密度として、送信帯域２６０２と送信帯域外（与干渉回避帯域）２６０１の周波数位置の関係を示している。ＣＣ方式は、ＡＩＣと同様に送信帯域２６０２から与干渉回避帯域２６０１へのスペクトルの漏れ込み成分を打ち消すための専用トーン（ＣＣ）を設ける。なお、ここでいうＣＣは、非特許文献１に記載されたＡＩＣトーンの一種であり、与干渉回避帯域の一部帯域、すなわち部分与干渉回避帯域の電力を抑圧するように生成される。図３０に示す例では、送信帯域２６０２のうち、与干渉回避帯域２６０１近傍の帯域に、２本のＣＣ２６０３が設けられている。このＣＣ２６０３は、与干渉回避帯域のうち、特に漏れ込み電力が大きい送信帯域２６０２近傍の部分与干渉回避帯域の漏洩電力を最小化するように動作する。【００１３】
また、特許文献１にもＡＩＣによる与干渉抑圧処理の一例が記載されている。
【先行技術文献】
【特許文献】
【００１４】
【特許文献１】特開２００９−８９３９３号公報
【非特許文献】
【００１５】
【非特許文献１】Ｈ．Ｙａｍａｇｕｃｈｉ，”Ａｃｔｉｖｅ  Ｉｎｔｅｒｆｅｒｅｎｃｅ  Ｃａｎｃｅｌｌａｔｉｏｎ  ｔｅｃｈｎｉｇｕｅ  ｆｏｒ  ＭＢ−ＯＦＤＭ  ｃｏｎｇｎｉｔｉｖｅ  ｒａｄｉｏ”，  ３４ｔｈ  ＥＭＣ，２００４
【非特許文献２】Ｓ．Ｂｒａｎｄｅｓ，Ｉ．Ｃｏｓｏｖｉｃ，Ｍ．Ｓｃｈｎｅｌｌ，  ”Ｓｉｄｅｌｏｂｅ  ｓｕｐｐｒｅｓｓｉｏｎ  ｉｎ  ＯＦＤＭ  ｓｙｓｔｅｍｓ  ｂｙ  Ｉｎｓｅｒｔｉｏｎ  ｏｆ  ｃａｎｃｅｌｌａｔｉｏｎ  ｃａｒｒｉｒｅｓ”，  ＶＴＣ２００５，２００５
【発明の概要】
【発明が解決しようとする課題】
【００１６】
しかし、非特許文献１や特許文献１に記載されたＡＩＣトーンによる与干渉抑圧方法では、ＡＩＣトーンによる漏洩電力を抑圧する帯域幅（抑圧対象帯域幅）が広いと十分な抑圧効果が得られない問題があった。特に、周波数利用効率を考えてＡＩＣトーン数が限られる場合において、与干渉抑圧性能の低下が顕著となる問題があった。【００１７】
一方、非特許文献２に記載されたＣＣによる与干渉抑圧方法は、与干渉回避帯域幅が広い場合において、ＡＩＣと比べて漏洩電力を効率よく抑圧することができる。しかし、非特許文献２に記載されたＣＣによる与干渉抑圧方法では、与干渉回避帯域において、送信帯域近傍に抑圧帯域を限定して抑圧信号（ＣＣ）を生成するため、送信帯域から離れた周波数位置では十分な抑圧効果が得られない問題があった。【００１８】
このように、ＡＩＣ方式やＣＣ方式によれば、周囲の電波状況に合わせて動的に与干渉を抑圧することはできるが、非特許文献１、特許文献１および非特許文献２に記載された方法では、上記のような問題により１次システムに干渉を与えるという課題があった。【００１９】
そこで、本発明は、周波数利用効率を低下させずに与干渉抑圧性能を向上させることができる無線送信装置、無線送信方法、無線送信プログラムおよび無線通信システムを提供することを目的とする。
【課題を解決するための手段】
【００２０】
本発明による無線送信装置は、送信信号の一部の周波数帯域の信号に対する周波数領域の処理によって、該信号による与干渉回避帯域への漏洩電力を部分的に抑圧する与干渉抑圧伝送信号を生成する第１の与干渉抑圧処理手段と、送信信号の一部または全部の周波数帯域の信号に対する時間領域の処理によって、該信号による与干渉回避帯域への漏洩電力を抑圧する与干渉抑圧伝送信号を生成する第２の与干渉抑圧処理手段とを備えたことを特徴とする。【００２１】
また、本発明による無線送信方法は、送信信号の一部の周波数帯域の信号に対する周波数領域の処理によって、該信号による与干渉回避帯域への漏洩電力を部分的に抑圧する与干渉抑圧伝送信号を生成するとともに、送信信号の一部または全部の周波数帯域の信号に対する時間領域の処理によって、該信号による与干渉回避帯域への漏洩電力を抑圧する与干渉抑圧伝送信号を生成することを特徴とする。【００２２】
また、本発明による無線送信プログラムは、コンピュータに、送信信号の一部の周波数帯域の信号に対する周波数領域の処理によって、該信号による与干渉回避帯域への漏洩電力を部分的に抑圧する与干渉抑圧伝送信号を生成する第１の与干渉抑圧処理、および送信信号の一部または全部の周波数帯域の信号に対する時間領域の処理によって、該信号による与干渉回避帯域への漏洩電力を抑圧する与干渉抑圧伝送信号を生成する第２の与干渉抑圧処理を実行させることを特徴とする。【００２３】
また、本発明による無線通信システムは、無線信号を送信する無線送信装置と、無線送信装置が送信する無線信号を検出する検出部を含む与干渉量測定装置とを備え、与干渉量測定装置は、無線送信装置が送信する無線信号による与干渉回避帯域への与干渉量を測定または予測する与干渉量測定手段と、与干渉量測定手段によって測定または予測した与干渉量を元に、所要とする与干渉抑圧の強弱を示す与干渉抑圧要求情報、または無線送信装置が与干渉抑圧処理として実施する送信信号の一部の信号に対する周波数領域の処理および送信信号の一部または全部の信号に対する時間領域の処理のパラメータとなる所定の制御情報を含む制御信号を生成し、無線送信装置に通知する制御信号通知手段とを含むことを特徴とする。
【発明の効果】
【００２４】
本発明によれば、周波数利用効率を低下させずに与干渉抑圧性能を向上させることが可能な無線送信装置、無線送信方法、無線送信プログラムおよび無線通信システムを提供することができる。
【図面の簡単な説明】
【００２５】
【図１】第１の実施形態の無線送信装置が備えるベースバンド部の構成例を示すブロック図である。
【図２】割当判断情報の他の例を示す説明図である。
【図３】ベースバンド部１００の送信動作の一例を示すフローチャートである。
【図４】与干渉抑圧伝送割当決定部１０２における周波数グループ割当の例を示す説明図である。
【図５】第１の実施形態の無線送信装置における送信信号のサブキャリア配置の例を示す模式図である。
【図６】第１の実施形態の無線送信装置における送信信号のサブキャリア配置の他の例を示す模式図である。
【図７】第１の実施形態におけるベースバンド部の他の構成例を示すブロック図である。
【図８】第２の実施形態におけるベースバンド部の構成例を示すブロック図である。
【図９】Ｔｉｍｅ  ｗｉｎｄｏｗｉｎｇ部５１５のより詳細な構成例を示すブロック図である。
【図１０】Ｔｉｍｅ  ｗｉｎｄｏｗｉｎｇ処理の原理を説明するための説明図である。
【図１１】ＡＩＣシンボル生成部５１６のより詳細な構成例を示すブロック図である。
【図１２】ＩＦＦＴ５１２−２の入力信号の例を示す説明図である。
【図１３】ＡＩＣシンボル生成部５１６によるＡＩＣシンボルの生成例を示す説明図である。
【図１４】ベースバンド部５００の送信動作の一例を示すフローチャートである。
【図１５】送信信号のサブキャリア配置の他の例を示す模式図である。
【図１６】送信信号のサブキャリア配置の他の例を示す模式図である。
【図１７】与干渉抑圧要求情報の取得動作の一例を示すシーケンスチャートである。
【図１８】ＡＩＣトーン数の変更動作の一例を示すシーケンスチャートである。
【図１９】与干渉抑圧処理のパラメータの変更例を示す説明図である。
【図２０】与干渉抑圧処理のパラメータの変更例を示す説明図である。
【図２１】与干渉抑圧処理のパラメータの変更例を示す説明図である。
【図２２】与干渉測定装置から２次システム送信元装置（当該無線送信装置）に通知される与干渉抑圧要求情報のインタフェース例を示す説明図である。
【図２３】第２の実施形態のシミュレーション結果を示す説明図である。
【図２４】第３の実施形態におけるベースバンド部の構成例を示すブロック図である。
【図２５】本発明の概要を示すブロック図である。
【図２６】本発明の概要を示すブロック図である。
【図２７】ダイナミックスペクトルアクセスを行う通信システムの一例を示す説明図である。
【図２８】１次システムの使用帯域と２次システムのスペクトルの例を示す説明図である。
【図２９】非特許文献１に記載されたＡＩＣ方式の例を示す説明図である。
【図３０】非特許文献２に記載されたＣＣ方式の例を示す説明図である。
【発明を実施するための形態】
【００２６】
以下、本発明の実施形態を図面を参照して説明する。以下、各実施形態では、無線アクセス方式としてＯＦＤＭを適用したシステムを例に用いて説明する。また、以下に示す各実施形態では、本発明の無線送信装置を、ダイナミックスペクトルアクセスにおける２次システムの送信装置として実装した場合の例である。
【００２７】
実施形態１．
図１は、本発明の第１の実施形態の無線送信装置が備えるベースバンド部の構成例を示すブロック図である。ここで、ベースバンド部とは、ＲＦ部の前段に位置して低周波領域で信号処理を行う処理部であって、送信情報ビット列を入力とし、デジタル処理によって送信変調信号を生成して出力する処理部である。本実施形態は、このベースバンド部において、送信変調信号を生成する際に本発明に係る与干渉抑圧処理を行う。
【００２８】
図１に示すベースバンド部１００は、変調部１０１と、与干渉抑圧伝送割当決定部１０２と、信号分離部１０３と、時間領域の処理による与干渉抑圧処理部１０４（以下、時間領域与干渉抑圧処理部１０４という。）と、周波数領域の処理による与干渉抑圧処理部１０５（以下、周波数領域与干渉抑圧処理部１０５という。）と、合成部１０６とを備える。
【００２９】
変調部１０１は、入力される送信情報ビット列に対して変調処理を行う。具体的には、入力された送信情報ビット列の各ビットを変調の単位であるシンボルにマッピングする。また、変調部１０１は、変調によって得た信号（以下、変調信号という。）を信号分離部１０３に出力する。
【００３０】
与干渉抑圧伝送割当決定部１０２は、所定の割当判断情報を参照して、変調信号に対して、時間領域与干渉抑圧処理部１０４により与干渉抑圧処理する周波数グループと、周波数領域与干渉抑圧処理部１０５により与干渉抑圧処理する周波数グループの割当を決定する。ここで、割当判断情報とは、変調信号に割り当てられている送信帯域のどの範囲を時間領域の処理によって与干渉抑圧するか、およびどの範囲を周波数領域の処理によって与干渉抑圧するかを決定するための判断基準となる情報であって、例えば、所要とする与干渉抑圧の強弱を示す与干渉抑圧要求情報であってもよい。また、与干渉抑圧処理の割当対象となる周波数グループは、無線リソースの単位（例えば、サブキャリア）を最小単位にして、送信帯域の周波数領域をグループ化したものであることが望ましい。与干渉抑圧伝送割当決定部１０２は、変調信号に割り当てられている送信帯域のどの周波数領域を周波数領域の処理によって与干渉抑圧するか、およびどの周波数領域を時間領域の処理によって与干渉抑圧するかを決定することによって、周波数領域による処理の対象とする周波数グループと時間領域による処理の対象とする周波数グループの割り当てを行ってもよい。与干渉抑圧伝送割当決定部１０２は、割り当て結果である各周波数グループを示す情報を周波数グループ割当結果として信号分離部１０３に出力する。
【００３１】
本例では、与干渉抑圧伝送割当決定部１０２は、干渉源となる送信信号の帯域に対して、無線リソース毎に周波数領域の処理による与干渉抑圧伝送方式か、時間領域の処理による与干渉抑圧伝送方式のいずれか一方の与干渉抑圧伝送方式が適用されるよう周波数グループを割り当てる。これにより、少なくとも送信信号の一部の領域に対して周波数領域の処理による与干渉抑圧が行われるとともに、その他の領域に対して時間領域の処理による与干渉抑圧が行われるようにする。
【００３２】
また、図２は、割当判断情報の他の例を示す説明図である。図２に示すように、与干渉抑圧要求情報以外にも、例えば、２次システム送信装置（すなわち、当該無線送信装置）の送信電力や、２次システムまたは１次システムに関するデータベース情報、ＣＰＣ情報、センシング結果、与干渉回避帯域幅、与干渉回避帯域からの周波数間隔、２次システム送信装置と１次システム受信装置の伝送損失、２次システム送信装置の送信ビームの指向性などを用いてもよい。なお、これらの情報を用いる場合には、例えば、これらの情報から与干渉量を計算または予測し、与干渉回避帯域において与干渉を抑圧すべき度合いを求め、求めた値を与干渉抑圧要求情報として用いればよい。なお、与干渉を抑圧すべき度合いを求める対象は、与干渉回避帯域全域であってもよいし、与干渉回避帯域の一部分についてのみであってもよいし、近傍と遠方やサブキャリア毎といった所定の方法で分割した各帯域それぞれについてであってもよい。
【００３３】
信号分離部１０３は、変調部１０１から出力される変調信号と、与干渉抑圧伝送割当決定部１０２から供給される周波数グループ割当結果とを入力し、周波数グループ割当結果に応じて、変調信号を周波数グループ毎に分離する。信号分離部１０３は、周波数グループ毎に分離した変調信号を、時間領域与干渉抑圧処理部１０４または周波数領域与干渉抑圧処理部１０５に出力する。より具体的には、時間領域の処理の対象とされた周波数グループとして割り当てられた周波数領域の変調信号（以下、該周波数グループに属する部分変調信号という。）は時間領域与干渉抑圧処理部１０４に出力し、周波数領域の処理の対象とされた周波数グループに属する部分変調信号は周波数領域与干渉抑圧処理部１０５に出力する。なお、出力データ形式として他方の周波数グループに属する領域も含める場合には、その部分については送信データなしを示す無効値（例えば、ゼロ）にして出力すればよい。
【００３４】
時間領域与干渉抑圧処理部１０４は、信号分離部１０３によって分離された変調信号（すなわち、時間領域の処理の対象とされた周波数領域の変調信号）に対して、時間領域の処理による与干渉抑圧を行い、与干渉抑圧処理した信号を生成する。時間領域与干渉抑圧処理部１０４は、時間領域の処理による与干渉抑圧の方式として、例えば、Ｔｉｍｅ  ｗｉｎｄｏｗｉｎｇを用いてもよい。時間領域与干渉抑圧処理部１０４は、与干渉抑圧処理した信号を合成部１０６に出力する。
【００３５】
周波数領域与干渉抑圧処理部１０５は、信号分離部１０３によって分離された変調信号（すなわち、周波数領域の処理の対象とされた周波数領域の変調信号）に対して、周波数領域の処理による与干渉抑圧を行い、与干渉抑圧処理した信号を生成する。周波数領域与干渉抑圧処理部１０５は、周波数領域の処理による与干渉抑圧の方式として、例えば、ＡＩＣを用いてもよい。ＡＩＣを用いる場合には、与干渉回避帯域のうちの一部（例えば、送信帯域近傍の部分与干渉回避帯域）において与干渉を抑圧するようなＡＩＣトーンを生成して送信シンボルに挿入する。周波数領域与干渉抑圧処理部１０５は、与干渉抑圧処理した信号を合成部１０６に出力する。
【００３６】
合成部１０６は、時間領域与干渉抑圧処理部１０４から出力される与干渉抑圧処理された信号と、周波数領域与干渉抑圧処理部１０５から出力される与干渉抑圧処理された信号とを合成する。合成した信号を送信変調信号として出力する。
【００３７】
図３は、本実施形態のベースバンド部１００の送信動作の一例を示すフローチャートである。図３に示すように、まず与干渉抑圧伝送割当決定部１０２が、所定の割当判断情報に基づいて、入力される変調信号に対して、どの周波数領域を時間領域の処理によって与干渉抑圧処理する対象とするか、またどの周波数領域を周波数領域の処理によって与干渉抑圧処理する対象とするかの周波数グループの割当を決定する（ステップＳ１）。なお、周波数グループの割当は、送信情報ビット列が入力される毎に行ってもよいし、割当判断情報を取得したタイミングや変更されたタイミングで行うようにしてもよい。
【００３８】
送信情報ビット列が入力され変調部１０１による変調が行われると、信号分離部１０３は、変調部１０１から出力される変調信号を、与干渉抑圧伝送割当決定部１０２から供給される周波数グループ割当結果に基づいて、周波数領域のグループ毎に分離する（ステップＳ２）。分離した信号は、周波数グループ毎に、時間領域与干渉抑圧処理部１０４または周波数領域与干渉抑圧処理部１０５に入力される。
【００３９】
時間領域与干渉抑圧処理部１０４および周波数領域与干渉抑圧処理部１０５は、それぞれ信号分離部１０３から出力される周波数領域のグループ毎の変調信号を入力して、互いに異なる性能の与干渉抑圧処理を実行する（ステップＳ３）。時間領域与干渉抑圧処理部１０４または周波数領域与干渉抑圧処理部１０５によって与干渉抑圧処理された信号は、それぞれ合成部１０６に出力される。
【００４０】
合成部１０６は、時間領域与干渉抑圧処理部１０４および周波数領域与干渉抑圧処理部１０５から出力される、周波数領域のグループ毎に与干渉抑圧処理された変調信号を入力して合成する（ステップＳ４）。合成部１０６は、合成した信号を、送信変調信号として出力する。
【００４１】
また、図４は、与干渉抑圧伝送割当決定部１０２における周波数グループ割当の例を示す説明図である。図４に示す例は、割当判断情報が与干渉抑圧要求情報の場合における与干渉抑圧伝送割当決定部１０２の動作結果例である。図４に示すように、与干渉抑圧伝送割当決定部１０２は、例えば、与干渉抑圧要求が「送信帯域近傍における与干渉抑圧要求：強」かつ「送信帯域遠方における与干渉抑圧要求：弱」の旨を示す場合には、干渉源となる送信信号に対して、周波数領域の処理による与干渉抑圧を適用する送信サブキャリア数を多くし、時間領域の処理による与干渉抑圧を適用する送信サブキャリア数が少なくなるように周波数グループの割当を決定してもよい。また、例えば、与干渉抑圧要求が「送信帯域近傍における与干渉抑圧要求：弱」かつ「送信帯域遠方における与干渉抑圧要求：強」の旨を示す場合には、周波数領域の処理による与干渉抑圧を適用する送信サブキャリア数を少なくし、時間領域の処理による与干渉抑圧を適用する送信サブキャリア数が多くなるように、周波数グループの割当を決定してもよい。
【００４２】
図５は、本実施形態の無線送信装置における送信信号のサブキャリア配置の例を示す模式図である。図５に示す例では、当該無線送信装置の送信帯域３０２において、干渉源となる送信信号のうち、与干渉回避帯域３０１（すなわち、送信帯域外の帯域）から遠方に位置する送信サブキャリアを時間領域の処理により与干渉を抑圧する周波数グループ３０４として決定する。一方、与干渉回避帯域３０１から近傍に位置する送信サブキャリアを周波数領域の処理により与干渉を抑圧する周波数グループ３０５として決定する。また、周波数領域の処理による与干渉抑圧では、送信帯域３０２内の与干渉回避帯域３０１に近接する位置に、与干渉抑圧信号（ＡＩＣトーン）３０３を挿入する。本例では、この与干渉抑圧信号３０３は、与干渉回避帯域３０１のうちの送信帯域３０２の近傍の部分与干渉回避帯域３０６に対して抑圧を行う。
【００４３】
また、図６は、本実施形態の無線送信装置における送信信号のサブキャリア配置の他の例を示す模式図である。前述の図５に示す例では、周波数領域の処理による与干渉抑圧において、部分与干渉回避帯域３０６を送信帯域３０２に近接するように配置して与干渉抑圧信号３０３を生成する例を示したが、図６に示すように、部分与干渉抑圧回避帯域３０６は必ずしも送信帯域３０２に近接していなくてもよい。例えば、１次システムへの与干渉が送信帯域３０２の近傍でない周波数位置において大きい場合には、部分与干渉回避帯域３０６をその１次システムへの与干渉が大きい帯域に配置して与干渉抑圧信号３０３を生成してもよい。
【００４４】
以上のように、本実施形態によれば、周波数領域の処理による与干渉抑圧を一部に限定し、それとともに時間領域の処理による与干渉抑圧を併用して行うので、漏洩電力を抑圧すべき与干渉回避帯域が広い場合であっても、周波数利用効率を下げることなく優れた与干渉抑圧性能を得ることができる。また、与干渉回避帯域のうち、送信帯域遠方において優れた与干渉抑圧性能を得ることができる。与干渉抑圧伝送方式において、時間領域の処理による与干渉抑圧伝送は送信帯域遠方の与干渉抑圧に優れ、周波数領域の処理による与干渉抑圧伝送は送信帯域近傍の与干渉抑圧伝送に優れるからである。また、与干渉抑圧要求情報などの割当判断情報に応じて、周波数領域の処理による与干渉抑圧伝送方式を適用する周波数グループと時間領域の処理による与干渉抑圧伝送方式を適用する周波数グループの割当を変更することによって、与干渉回避帯域漏洩成分の電力密度を柔軟に制御でき、所要とするスペクトルマスクをより高精度に満たすことができる。
【００４５】
なお、本実施形態では、与干渉抑圧伝送割当決定部１０２が、干渉源となる送信信号の帯域に対して、無線リソース毎に周波数領域の処理による与干渉抑圧伝送方式か、時間領域の処理による与干渉抑圧伝送方式のいずれか一方の与干渉抑圧伝送方式が適用されるよう周波数グループを割り当てる例を示したが、周波数領域の処理による与干渉抑圧伝送方式と時間領域の処理による与干渉抑圧伝送方式の併用の仕方はこの限りでない。例えば、一部の周波数領域に対して周波数領域の処理による与干渉抑圧伝送方式と時間領域の処理による与干渉抑圧伝送方式とを同時に適用することも可能である。この場合、時間領域の処理による与干渉抑圧伝送方式は全ての送信信号に適用する。なお、周波数領域の処理による与干渉抑圧伝送方式は一部の送信信号にのみ適用する。
【００４６】
図７は、図１に示したベースバンド部１００の変形例を示すブロック図である。図７に示すベースバンド部１００は、変調部１０１と、与干渉抑圧伝送割当決定部１０２と、時間領域の処理による与干渉抑圧処理部１０４（時間領域与干渉抑圧処理部１０４）と、周波数領域の処理による与干渉抑圧処理部１０５（周波数領域与干渉抑圧処理部１０５）とを備える。なお、図１に示したベースバンド部１００と比べて、信号分離部１０３と合成部１０６とが省略される点、時間領域与干渉抑圧処理部１０４の前段に周波数領域与干渉抑圧処理部１０５が配備される点が異なる。なお、各部の動作は基本的に図１の場合と同様である。
【００４７】
本例では、変調部１０１が変調した変調信号は、そのまま周波数領域与干渉抑圧処理部１０５に出力される。なお、時間領域与干渉抑圧処理部１０４には、周波数領域与干渉抑圧処理部１０５による処理後の信号が出力される。また、与干渉抑圧伝送割当決定部１０２による割り当て結果の情報である周波数グループ割当結果は、周波数領域与干渉抑圧処理部１０５に出力される。
【００４８】
周波数領域与干渉抑圧処理部１０５は、入力された変調信号のうち、与干渉抑圧伝送割当決定部１０３から供給される周波数グループ割当結果によって示される周波数領域の処理の対象とされた周波数領域の変調信号に対して、周波数領域の処理による与干渉抑圧を行う。
【００４９】
時間領域与干渉抑圧処理部１０４は、周波数領域与干渉抑圧処理部１０５から入力される、周波数領域の処理による与干渉抑圧後の信号に対して、時間領域の処理による与干渉抑圧を行う。なお、時間領域与干渉抑圧処理部１０４にも、送信信号の全領域を時間領域の処理による与干渉抑圧の処理対象として示す周波数グループ割当結果を入力し、時間領域与干渉抑圧処理部１０４は、入力される周波数グループ割当結果に基づいて、処理対象とされた周波数領域（本例の場合、送信信号の全領域）の変調信号に対して、時間領域の処理による与干渉抑圧を行ってもよい。また、時間領域与干渉抑圧処理部１０４は、当該時間領域与干渉抑圧処理部１０４による与干渉処理後の信号を、送信変調信号として出力する。
【００５０】
実施形態２．
次に、本発明の第２の実施形態について図面を参照して説明する。図８は、第２の実施形態におけるベースバンド部の構成例を示すブロック図である。なお、図８に示す例は、図１に示す構成において、周波数領域の処理による与干渉抑圧伝送方式としてＡＩＣを適用し、時間領域の処理による与干渉抑圧伝送方式としてＴｉｍｅ  ｗｉｎｄｏｗｉｎｇを適用した場合のより具体的な構成の一例である。
【００５１】
図８に示すベースバンド部５００は、符号化部５０１と、インタリーバ５０２と、変調部５０３と、Ｓ／Ｐ（シリアル／パラレル）変換部５０４と、Ｔｉｍｅ  ｗｉｎｄｏｗｉｎｇ／ＡＩＣ割当決定部５０９と、センシング部５１０と、サブキャリアマッピング部５１１と、ＩＦＦＴ５１２−１、２と、Ｐ／Ｓ（パラレル／シリアル）変換部５１３−１、２と、ＣＰ付加部５１４−１と、ＧＩ付加部５１４−２と、Ｔｉｍｅ  ｗｉｎｄｏｗｉｎｇ部５１５と、ＡＩＣシンボル生成部５１６と、加算部５１７とを備える。
【００５２】
符号化部５０１は、送信情報ビット列を入力し、入力される送信情報ビット列に対して誤り訂正用の符号化処理を行い、符号化したビット列をインタリーバ５０２に出力する。ここで、符号化処理には、例えば、畳み込み符号やターボ符号などが用いられる。
【００５３】
インタリーバ５０２は、符号化部５０１によって符号化されたビット列を入力し、入力される符号化されたビット列に対して、ビットの配列を変更するインタリーブ処理を行い、インタリーブしたビット列を変調部５０３に出力する。
【００５４】
変調部５０３は、インタリーバ５０２によってインタリーブされたビット列を入力し、入力されるインタリーブ後のビット列をシンボルにマッピングする変調処理を行い、変調した信号（変調信号）をＳ／Ｐ変換部５０４に出力する。変調部５０３は、例えば、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭなどの所定の変調方式における変調の単位に合わせて、入力されるビット列をマッピングする（配列させる）ことによって変調信号を生成する。
【００５５】
Ｓ／Ｐ変換部５０４は、変調部５０３から出力される変調信号を入力し、入力される変調信号を送信フレーム単位のパラレル信号に変換するシリアル／パラレル変換を行い、送信フレーム単位のパラレル信号に変換された変調信号をサブキャリアマッピング部５１１に出力する。
【００５６】
Ｔｉｍｅ  ｗｉｎｄｏｗｉｎｇ／ＡＩＣ割当決定部５０９は、第１の実施形態における割当判断情報に相当する与干渉抑圧要求情報を入力し、入力される与干渉抑圧要求情報に基づいて、送信信号に適用する与干渉抑圧手段として、時間領域の処理によるＴｉｍｅ  ｗｉｎｄｏｗｉｎｇを用いるか、または周波数領域の処理によるＡＩＣを用いるかの割当てをサブキャリア単位で決定する。また、Ｔｉｍｅ  ｗｉｎｄｏｗｉｎｇ／ＡＩＣ割当決定部５０９は、決定した割当結果を示す情報をＴｉｍｅ  ｗｉｎｄｏｗｉｎｇ／ＡＩＣ割当結果としてサブキャリアマッピング部５１１に出力する。与干渉抑圧要求情報は、例えば、所要とするスペクトルマスクの情報であってもよい。
【００５７】
センシング部５１０は、１次システムの通信状況をセンシングし、１次システムが使用している帯域、すなわち与干渉を回避すべき帯域の情報（以下、これを与干渉回避帯域情報と呼ぶ場合もある）を、サブキャリアマッピング部５１１およびＡＩＣシンボル生成部５１６に出力する。
【００５８】
サブキャリアマッピング部５１１は、Ｓ／Ｐ変換部５０４から出力されるパラレル信号の変調信号と、Ｔｉｍｅ  ｗｉｎｄｏｗｉｎｇ／ＡＩＣ割当決定部５０９から供給されるＴｉｍｅ  ｗｉｎｄｏｗｉｎｇ／ＡＩＣ割当結果と、センシング部５１０から供給される与干渉回避帯域情報とを入力する。サブキャリアマッピング部５１１は、Ｔｉｍｅ  ｗｉｎｄｏｗｉｎｇ／ＡＩＣ割当結果に基づいて、入力された変調信号を、サブキャリア単位でＴｉｍｅ  ｗｉｎｄｏｗｉｎｇ処理を行う処理系統と、サブキャリア単位でＡＩＣ処理を行う処理系統とに分離する。さらに、サブキャリアマッピング部５１１は、与干渉回避帯域情報に基づいて、与干渉を回避する帯域にサブキャリアを配置しないようにサブキャリアマッピングする。サブキャリアマッピング部５１１は、Ｔｉｍｅ  ｗｉｎｄｏｗｉｎｇ処理を行うサブキャリアの変調信号をＩＦＦＴ５１２−１に出力し、ＡＩＣ処理を行うサブキャリアの変調信号をＡＩＣシンボル生成部５１６に出力する。
【００５９】
ＩＦＦＴ５１２−１は、サブキャリアマッピング部５１１から出力される、Ｔｉｍｅ  ｗｉｎｄｏｗｉｎｇ処理を行うサブキャリアの変調信号を入力し、入力される変調信号に対してＩＦＦＴ処理（逆フーリエ変換処理）を行うことによりサブキャリア信号を生成し、生成したサブキャリア信号をＰ／Ｓ変換部５１３−１に出力する。
【００６０】
Ｐ／Ｓ変換部５１３−１は、ＩＦＦＴ５１２−１から出力されるサブキャリア信号を入力し、入力されるサブキャリア信号をシリアル信号に変換するパラレル／シリアル変換を行い、シリアル信号に変換した変調信号をＣＰ付加部５１４−１に出力する。なお、ここで出力される変調信号は、ＯＦＤＭシンボル群としてのデータを有する変調信号であるということもできる。
【００６１】
ＣＰ付加部５１４−１は、Ｐ／Ｓ変換部５１３−１から出力される変調信号を入力し、入力される変調信号に対して、ＣＰ（Ｃｙｃｌｉｃ  Ｐｒｅｆｉｘ）を付加する処理を行い、ＣＰを付加した変調信号をＴｉｍｅ  ｗｉｎｄｏｗｉｎｇ部５１５に出力する。ＣＰ付加部５１４−１は、例えば、入力される変調信号によって示されるＯＦＤＭシンボルについて、ＯＦＤＭシンボルの後方部分を該ＯＦＤＭシンボルの前にコピーすることによってＣＰを付加する処理を行う。
【００６２】
Ｔｉｍｅ  ｗｉｎｄｏｗｉｎｇ部５１５は、ＣＰ付加部５１４−１から出力されるＣＰ付加された変調信号を入力し、入力される変調信号に対して、Ｔｉｍｅ  ｗｉｎｄｏｗｉｎｇ処理として、時間領域のシンボルの両端を波形整形する処理を行う。具体的には、Ｔｉｍｅ  ｗｉｎｄｏｗｉｎｇ部５１５は、まず、入力される変調信号によって示されるＣＰ付加されたＯＦＤＭシンボルについて、ＣＰ付加前のＯＦＤＭシンボルの前方部分をＯＦＤＭシンボルの後にコピーすることによってＴａｉｌを付加する処理を行う。次に、拡張した時間領域のＯＦＤＭシンボルを波形整形し、波形整形した前後のＯＦＤＭシンボルと一部を重複させる処理を行う。ＯＦＤＭシンボルの波形整形には例えばレイズドコサインロールオフ波形を用いることができ、所定のＷｉｎｄｏｗ重複長に基づいて波形整形を行う。なお、具体的には、変調信号のデータを用いて波形整形のための演算処理を行えばよい。Ｔｉｍｅ  ｗｉｎｄｏｗｉｎｇ部５１５は、Ｔｉｍｅ  ｗｉｎｄｏｗｉｎｇ処理した変調信号を加算部５１７に出力する。
【００６３】
ＡＩＣシンボル生成部５１６は、センシング部５１０から出力される与干渉回避帯域情報と、サブキャリアマッピング部５１１から出力される、ＡＩＣ処理を行うサブキャリアの変調信号とを入力し、入力される変調信号のデータと与干渉回避帯域情報とを基に、与干渉回避帯域における漏洩干渉成分を打ち消すシンボル（ＡＩＣシンボル）を計算して、送信シンボルの一部として挿入し、ＡＩＣシンボルを挿入した変調信号をＩＦＦＴ５１２−２に出力する。
【００６４】
ＩＦＦＴ５１２−２は、ＡＩＣシンボル生成部５１６から出力されるＡＩＣシンボルが挿入された変調信号を入力し、入力される変調信号に対してＩＦＦＴ処理を行うことによりサブキャリア信号を生成する。ＩＦＦＴ５１２−２は、ＩＦＦＴ処理によって生成したサブキャリア信号をＰ／Ｓ変換部５１３−２に出力する。
【００６５】
Ｐ／Ｓ変換部５１３−２は、ＩＦＦＴ５１２−２から出力されるサブキャリア信号を入力し、入力されるサブキャリア信号をシリアル信号に変換するパラレル／シリアル変換を行い、シリアル信号に変換した変調信号をＧＩ付加部５１４−２に出力する。なお、ここで出力される変調信号は、ＯＦＤＭシンボル群としてのデータを有する変調信号であるということもできる。
【００６６】
ＧＩ付加部５１４−２は、Ｐ／Ｓ変換部５１３−２から出力される変調信号を入力し、入力される変調信号に対して、ＧＩ（Ｇｕａｒｄ  Ｉｎｔｅｒｖａｌ）を付加する処理を行い、ＧＩを付加した変調信号を加算部５１７に出力する。ＧＩ付加部５１４−２は、例えば、０パディングされたＧＩをＯＦＤＭシンボルの前に付加する処理を行う。なお、０以外の定数（例えば、１や２）やＣＰを付加することも可能である。
【００６７】
加算部５１７は、Ｔｉｍｅ  ｗｉｎｄｏｗｉｎｇ部５１５から出力される変調信号と、ＧＩ付加部５１４−２から出力される変調信号とを入力し、両信号を加算し、加算した信号を送信変調信号として出力する。
【００６８】
図９は、Ｔｉｍｅ  ｗｉｎｄｏｗｉｎｇ部５１５のより詳細な構成例を示すブロック図である。図９に示すように、Ｔｉｍｅ  ｗｉｎｄｏｗｉｎｇ部５１５は、Ｔａｉｌ領域コピー部５１５１と、時間領域波形整形部５１５２と、前後ＯＦＤＭシンボル重複部５１５３とを含んでいてもよい。
【００６９】
また、図１０は、Ｔｉｍｅ  ｗｉｎｄｏｗｉｎｇ処理の原理を説明するための説明図である。なお、図１０において、ＬＣＰはＣＰ長［サンプル］を表し、ＬＯＶはＷｉｎｄｏｗ重複長［サンプル］を表している。図１０に示す例では、ＣＰ８０１のサンプル数がＬＣＰに相当し、Ｔａｉｌ８０３のサンプル数がＬＯＶに相当し、有効ＣＰ長はＬＣＰ−ＬＯＶで表される。Ｔｉｍｅ  ｗｉｎｄｏｗｉｎｇ部５１５では、入力される変調信号（ＣＰ付加後のＯＦＤＭシンボル）に対して、図１０に示すような波形整形および前後のＯＦＤＭシンボルを重複させるＴｉｍｅ  ｗｉｎｄｏｗｉｎｇ処理を行い、処理後の信号を加算部５１７に出力する。以下、Ｔｉｍｅ  ｗｉｎｄｏｗｉｎｇ処理についてより詳細に説明する。
【００７０】
Ｔａｉｌ領域コピー部５１５１は、ＣＰ付加部５１４−１から出力される変調信号（ＣＰ付加後のＯＦＤＭシンボルとしてのデータを有する変調信号）を入力する。Ｔａｉｌ領域コピー部５１５１は、予め定めておいたＷｉｎｄｏｗ重複長ＬＯＶ［サンプル］に応じて、ＣＰ付加前のＯＦＤＭシンボル前方部分をＴａｉｌとしてＯＦＤＭシンボルの後にコピーして付加する。Ｔａｉｌ領域コピー部５１５１は、Ｔａｉｌ付加後のＯＦＤＭシンボルのデータを、時間領域波形整形部５１５２に出力する。
【００７１】
時間領域波形整形部５１５２は、Ｔａｉｌ領域コピー部５１５１から、ＣＰとＴａｉｌが付加されたＯＦＤＭシンボルのデータを入力する。時間領域波形整形部５１５２は、Ｗｉｎｄｏｗ重複長に応じてＣＰ区間とＴａｉｌ区間に対して時間領域の波形整形を行う。波形整形の例としては、レイズドコサインロールオフ波形に基づいた波形整形を挙げることができる。ここで、サンプルｔの波形整形特性ｇ（ｔ）は、式（１）で表される。なお、式（１）において、ＮＦＦＴはＦＦＴサイズを示し、ＬＣＰはＣＰ長［サンプル］を示す。
【００７２】
【数１】
2011104998.tif 000003
【００７３】
時間領域波形整形部５１５２は、波形整形したＯＦＤＭシンボルのデータを、前後ＯＦＤＭシンボル重複部５１５３に出力する。
【００７４】
前後ＯＦＤＭシンボル重複部５１５３は、時間領域波形整形部５１５２から波形整形されたＯＦＤＭシンボルのデータを入力する。前後ＯＦＤＭシンボル重複部５１５３は、Ｗｉｎｄｏｗ重複長ＬＯＶに応じて、波形整形した自シンボルのＣＰ区間（Ｈｅａｄ  ｗｉｎｄｏｗ）と波形整形した前シンボルのＴａｉｌ区間（Ｔａｉｌ  ｗｉｎｄｏｗ）を加算することにより重複させる。同様に、波形整形した自シンボルのＴａｉｌ区間と波形整形した後シンボルのＣＰ区間の一部を重複させる。前後ＯＦＤＭシンボル重複部５１５３は、当該処理によって生成された変調信号（波形整形および前後のＯＦＤＭシンボルを重複させた変調信）を加算部５１７に出力する。
【００７５】
また、図１１は、ＡＩＣシンボル生成部５１６のより詳細な構成例を示すブロック図である。図１１に示すように、ＡＩＣシンボル生成部５１６は、ＡＩＣ係数生成部５１６１と、ＡＩＣ係数乗算部５１６２と、ＡＩＣシンボル挿入部５１６３とを含んでいてもよい。
【００７６】
ＡＩＣ係数生成部５１６１は、センシング部５１０から与干渉回避帯域情報を入力し、ＡＩＣ係数を計算し、計算したＡＩＣ係数をＡＩＣ係数乗算部５１６２に出力する。ここで、ＡＩＣ係数は、例えば、後述の式（８）の行列Ｗに相当する。
【００７７】
ＡＩＣ係数乗算部５１６２は、ＡＩＣ係数生成部５１６１から出力されるＡＩＣ係数と、サブキャリアマッピング部５１１から出力されるＡＩＣ処理を行うサブキャリアの変調信号とを入力する。ＡＩＣ係数乗算部５１６２は、入力される変調信号によって示されるサブキャリアマッピングされた送信シンボルとＡＩＣ係数とを乗算することによりＡＩＣシンボルを生成し、生成したＡＩＣシンボルのデータをＡＩＣシンボル挿入部５１６３に出力する。ここで、ＡＩＣシンボルは、例えば、後述の式（８）により計算することができる。
【００７８】
ＡＩＣシンボル挿入部５１６３は、サブキャリアマッピング部５１１から出力されるＡＩＣ処理を行うサブキャリアの変調信号と、ＡＩＣ係数乗算部５１６２から出力されるＡＩＣシンボルのデータとを入力し、送信シンボルにＡＩＣシンボルを挿入する。ＡＩＣシンボル挿入部５１６３は、ＡＩＣシンボルを挿入した変調信号（ＡＩＣシンボルを挿入した送信シンボルとしてのデータを有する変調信号）をＩＦＦＴ５１２−２に出力する。
【００７９】
図１２は、ＩＦＦＴ５１２−２の入力信号（すなわち、ＡＩＣシンボル挿入部５１６３の出力信号）の例を示す説明図である。図１２は、元々の送信シンボルの他に、与干渉回避帯域に相当するシンボルにはゼロが挿入され、送信シンボルと与干渉回避帯域に相当するシンボルの間にＡＩＣシンボルが挿入される例を示している。
【００８０】
次に、図１３を参照して、ＡＩＣシンボル生成部５１６におけるＡＩＣシンボル生成式の例について説明する。図１３は、ＡＩＣシンボル生成部５１６によるＡＩＣシンボルの生成例を示す説明図である。
【００８１】
図１３に示す例では、送信帯域３０２内において、与干渉回避帯域３０１から遠方の干渉源となる送信サブキャリア３０４についてはＴｉｍｅ  ｗｉｎｄｏｗｉｎｇにより与干渉を抑圧するとし、他方、与干渉回避帯域３０１から近傍の干渉源となる送信サブキャリア数Ｑ本のサブキャリア３０５についてはＡＩＣにより与干渉抑圧するとしている。本例のＡＩＣによる与干渉抑圧では、与干渉回避帯域３０１に隣接する送信帯域３０２内にＡＩＣトーン３０３をＮＡＩＣ本挿入するものとする。さらに、ＡＩＣトーン３０３は、Ｎｉ本のサブキャリアに相当する与干渉回避帯域３０１のうちの送信帯域３０２近傍のＮｉ＿ｐａｒｔｉａｌ本に相当する部分与干渉回避帯域３０６に対して抑圧を行うものとする。
【００８２】
ＩＦＦＴ５１２−１の出力である時間領域のサンプルｎ（ｎ＝０、１、・・・、Ｎ−１）のＯＦＤＭ信号ｘ（ｎ）は、以下の式（２）で表される。なお、式（２）において、Ｘ（ｋ）、ｋ（ｋ＝０、１、・・・、Ｎ−１）は、送信するシンボルを示す。なお、ＮはＩＦＦＴのＦＦＴサイズである。
【００８３】
【数２】
2011104998.tif 000004
【００８４】
また、Ｍ倍（Ｍ≧１）にアップサンプリングした周波数位置ｌ（ｌ＝０、１、・・・、ＮＭ−１）におけるＯＦＤＭ信号のスペクトルＹ（ｌ）は、以下の式（３）で表される。
【００８５】
【数３】
2011104998.tif 000005
【００８６】
また、式（２）と式（３）からＯＦＤＭ信号のスペクトルＹ（ｌ）は、以下の式（４）で表される。なお、式（４）において、Ｐ（ｌ、ｋ）は、変換カーネルを示す。
【００８７】
【数４】
2011104998.tif 000006
【００８８】
ここで、与干渉回避帯域３０１のアップサンプリング前のサブキャリア数をＮｉとし、与干渉回避帯域３０１のうち、ＡＩＣトーン３０３により与干渉電力を最小化する部分与干渉回避帯域３０６のアップサンプリング前のサブキャリア数をＮｉ＿ｐａｒｔｉａｌ（Ｎｉ＿ｐａｒｔｉａｌ＜Ｎｉ）とした場合、部分与干渉回避帯域３０６におけるアップサンプリング後のサイドローブ成分Ｍ（Ｎｉ＿ｐａｒｔｉａｌ−１）＋１行の列ベクトルｄ１は、以下の式（５）で表される。
【００８９】
Ｐ１＝ＰＳｇ  ・・・式（５）
【００９０】
式（５）において、ＰＳはＰ（ｌ、ｋ）を要素とする行列Ｐの部分与干渉回避帯域３０６におけるアップサンプリング後のサイドローブ成分に相当するＭｕ〜Ｍ（ｕ＋Ｎｉ＿ｐａｒｔｉａｌ−１）行を抽出した（Ｍ（Ｎｉ＿ｐａｒｔｉａｌ−１）＋１）×Ｎの部分行列、ｇは与干渉回避帯域およびＡＩＣトーンに相当する成分をゼロにした送信シンボルから構成されるＮ行の列ベクトルを示す。また、ｕはアップサンプリング前の部分与干渉回避帯域３０６の開始サブキャリア番号を示す。
【００９１】
部分与干渉回避帯域３０６におけるサイドローブ成分を打ち消すための信号は、以下の式（６）で表される。
【００９２】
Ｐ１ｈ＝−ｄ１  ・・・式（６）
【００９３】
ここで、ＡＩＣトーン数をＮＡＩＣと仮定すると、Ｐ１は部分与干渉回避帯域３０６に相当する行のみ考慮した行列ＰＳのｕ−ＮＡＩＣ〜ｕ＋Ｎｉ＿ｐａｒｔｉａｌ−１列を抽出した（Ｍ（Ｎｉ＿ｐａｒｔｉａｌ−１）＋１）×（Ｎｉ＿ｐａｒｔｉａｌ＋ＮＡＩＣ）の部分行列を示し、ｈは干渉成分を打ち消すＡＩＣシンボルの（Ｎｉ＿ｐａｒｔｉａｌ＋ＮＡＩＣ）行の列ベクトルである。
【００９４】
行列Ｐ１は正方行列でないため、最小自乗誤差法により列ベクトルｈを求める。式（６）から、自乗誤差ｅ２は例えば、以下の式（７）で表される。
【００９５】
ｅ２＝‖Ｐ１ｈ＋ｄ１‖２  ・・・式（７）
【００９６】
式（７）より、干渉成分を打ち消す列ベクトルｈは、以下の式（８）で表される。
【００９７】
【数５】
2011104998.tif 000007
【００９８】
ここで、Ｗは（Ｎｉ＿ｐａｒｔｉａｌ＋ＮＡＩＣ）×Ｎの行列であり、ＡＩＣ係数生成部５１６１の出力信号に相当する。以上から干渉成分を打ち消すＡＩＣシンボルの列ベクトルｈは行列Ｗと送信シンボルの列ベクトルｇから計算でき、ＡＩＣシンボルの列ベクトルｈはＡＩＣ係数乗算部５１６２の出力に相当する。なお、ＡＩＣシンボルの列ベクトルｈはＮｉ＿ｐａｒｔｉａｌ＋ＮＡＩＣ個の要素から構成されるが、ＮＡＩＣに相当する要素のみをＡＩＣシンボルとして用いてもよい。
【００９９】
次に、本実施形態の動作について説明する。図１４は、本実施形態のベースバンド部５００の送信動作の一例を示すフローチャートである。以下では、主として、Ｔｉｍｅ  ｗｉｎｄｏｗｉｎｇ／ＡＩＣ割当決定部５０９とサブキャリアマッピング部５１１の動作について説明する。より具体的には、スペクトルマスクなどの与干渉抑圧要求情報に応じてＴｉｍｅ  ｗｉｎｄｏｗｉｎｇを適用する送信サブキャリアとＡＩＣを適用する送信サブキャリアの割当て範囲を適応的に変更する動作について説明する。なお、他の動作については、上述したとおりである。
【０１００】
図１４に示す例では、Ｔｉｍｅ  ｗｉｎｄｏｗｉｎｇ／ＡＩＣ割当決定部５０９は、与干渉抑圧要求情報を参照してＴｉｍｅ  ｗｉｎｄｏｗｉｎｇを適用するサブキャリアとＡＩＣを適用するサブキャリアの割当を決定し、割当結果をＴｉｍｅ  ｗｉｎｄｏｗｉｎｇ／ＡＩＣ割当結果として出力する（ステップＳ１１）。なお、サブキャリアの割当制御は、例えば図４に示した制御方法を用いることができる。
【０１０１】
サブキャリアマッピング部５１１は、Ｔｉｍｅ  ｗｉｎｄｏｗｉｎｇ／ＡＩＣ割当結果に基づいて、変調シンボルをＴｉｍｅ  ｗｉｎｄｏｗｉｎｇ処理を行うサブキャリアとＡＩＣ処理を行うサブキャリアに分離して出力する（ステップＳ１２）。
【０１０２】
ステップＳ１３では、Ｔｉｍｅ  ｗｉｎｄｏｗｉｎｇ処理を行うサブキャリアに対する与干渉抑圧伝送処理として、ＩＦＦＴ５１２−１、Ｐ／Ｓ変換部５１３−１、ＣＰ付加部５１４−１およびＴｉｍｅ  ｗｉｎｄｏｗｉｎｇ部５１５が順次所定の処理を行い、Ｔｉｍｅ  ｗｉｎｄｏｗｉｎｇ処理したＯＦＤＭ信号を生成する。また一方で、ＡＩＣ処理を行うサブキャリアに対する与干渉抑圧伝送処理として、ＡＩＣシンボル生成部５１６、ＩＦＦＴ５１２−２、Ｐ／Ｓ変換部５１３−２およびＧＩ付加部５１４−２が順次所定の処理を行い、ＡＩＣ処理したＯＦＤＭ信号を生成する。
【０１０３】
Ｔｉｍｅ  ｗｉｎｄｏｗｉｎｇ処理したＯＦＤＭ信号と、ＡＩＣ処理したＯＦＤＭ信号とがそれぞれ生成されると、加算部５１７が両信号を合成して、送信変調信号として出力する（ステップＳ１４）。なお、合成処理をせずに、両信号をそれぞれ送信することも可能である。
【０１０４】
また、図１５および図１６は、送信信号のサブキャリア配置の他の例を示す模式図である。図１５に示す例は、当該無線送信装置が与干渉回避帯域３０１の両側に配置された送信帯域３０２−１、３０２−２を用いて送信する場合に、その与干渉回避帯域３０１の両側に配置された送信帯域３０２−１、３０２−２の送信信号に本実施形態の与干渉抑圧処理を適用させた例である。図１５に示すように、与干渉回避帯域に近接する送信帯域が複数ある場合には、与干渉回避帯域と送信帯域とが近接するそれぞれの箇所に着目して、本実施形態の与干渉抑圧処理を適用させればよい。
【０１０５】
例えば、図１５に示す例では、送信帯域３０２−１と与干渉回避帯域３０１との位置関係に着目して、送信帯域３０２−１のうち与干渉回避帯域３０１に近傍の帯域をＡＩＣにより与干渉抑圧される周波数グループ３０５−１として決定し、Ｔｉｍｅ  ｗｉｎｄｏｗｉｎｇにより与干渉抑圧される周波数グループ３０４−１として決定すればよい。また、送信帯域３０２−２と与干渉回避帯域３０１との位置関係に着目して、送信帯域３０２−２のうち与干渉回避帯域３０１に近傍の帯域をＡＩＣにより与干渉抑圧される周波数グループ３０５−２として決定し、Ｔｉｍｅ  ｗｉｎｄｏｗｉｎｇにより与干渉抑圧される周波数グループ３０４−２として決定すればよい。また、送信帯域３０２−１、３０２−２のうち、それぞれ与干渉回避帯域３０１に隣接する位置にＡＩＣトーン３０３−１および３０３−２が配置される。なお、ＡＩＣにより与干渉抑圧される周波数グループＱが複数ある場合には、各周波数グループＱにつき、ＡＩＣトーンの生成や挿入に係る計算を行えばよい。なお、並列処理させたい場合には計算部を複数備える構成にしてもよい。
【０１０６】
また、図１６に示す例は、当該無線送信装置が、２つの与干渉回避領域３０１−１および３０１−２に挟まれた領域を送信帯域３０２として送信信号を送信する場合に、その送信帯域３０２の送信信号に本実施形態の与干抑圧処理を適用させた例である。送信帯域の両側に与干渉回避帯域がある場合には、図１５に示す例と同様に、与干渉回避帯域と送信帯域とが近接するそれぞれの箇所に着目して、本実施形態の与干渉抑圧処理を適用させてもよいが、図１６に示すように、送信帯域とその両側の与干渉回避帯域とが近接する箇所を一対として、まず送信帯域とその両側の与干渉回避帯域とが近接する２つの箇所を基準に、ＡＩＣによる与干渉抑圧処理の周波数グループＱを決定し、その他をＴｉｍｅ  ｗｉｎｄｏｗｉｎｇによる与干渉抑圧処理の周波数グループに決定するといった方法も可能である。
【０１０７】
例えば、図１６に示す例では、送信帯域３０２に対してその両側の与干渉回避帯域３０１−１および３０１−２と近接する位置を基準に、ＡＩＣにより与干渉抑圧される周波数グループ３０５−１および３０５−２を決定し、その他の領域をＴｉｍｅ  ｗｉｎｄｏｗｉｎｇにより与干渉抑圧される周波数グループ３０４として決定している。本例の場合、送信帯域３０２のうち、与干渉回避帯域３０１−１と与干渉回避帯域３０１−２に隣接するそれぞれの位置にＡＩＣトーン３０３−１および３０３−２が配置される。
【０１０８】
また、上記説明では、サブキャリアを単位にしてＡＩＣトーン数を決定する例を示したが、サブキャリア単位に限らず、無線リソースの単位であればよい。
【０１０９】
次に、与干渉抑圧要求情報の取得方法について説明する。図１７は、与干渉抑圧要求情報の取得動作の一例を示すシーケンスチャートである。なお、図１７に示す例は、本実施形態の無線送信装置を２次システムの送信元装置（例えば、基地局や端末）として適用し、別途設置されている与干渉測定装置から与干渉抑圧要求情報を取得する場合の例である。ここで、与干渉測定装置は、２次システム送信元装置が１次システムに与える与干渉量を測定あるいは推定し、その結果に基づいて与干渉抑圧要求情報を決定する装置である。図１７に示す例では、与干渉測定装置が与干渉抑圧要求情報を決定して２次システム送信元装置に通知する手順を示している。
【０１１０】
与干渉測定装置（例えば、２次システム端末局又は基地局あるいは１次システム端末局又は基地局）は、下り又は上り信号１４０１を検出し、検出した下り又は上り信号１４０１から２次システム送信元装置が１次システムに与える与干渉量を測定あるいは推定する。そして、測定または推定した与干渉量に基づいて与干渉抑圧要求情報を決定する。ここで、与干渉量の例として、干渉電力、信号電力対干渉電力比、信号電力対雑音電力比、１次システムの通信品質などが挙げられる。また、与干渉抑圧要求情報は、例えば与干渉量が大きい場合に与干渉抑圧の要求を強くし、与干渉量が小さい場合に与干渉抑圧の要求が弱くなるように決定してもよい。次に、与干渉抑圧制御回線と逆の回線１４０２を介して、与干渉抑圧要求情報を２次システムの送信元装置（例えば、基地局又は端末局）である当該無線送信装置に通知する。
【０１１１】
与干渉抑圧要求情報が通知された当該無線送信装置では、例えば、Ｔｉｍｅ  ｗｉｎｄｏｗｉｎｇ／ＡＩＣ割当決定部５０９が、通知された内容に応じてサブキャリア毎の与干渉抑圧処理の割当を変更する。
【０１１２】
なお、与干渉測定装置は、この一連のシーケンスを、例えば所定のタイミング（決められた時間周期、ユーザ指示に応じて等）で動作させてもよいし、２次システムの送信元装置である当該無線送信装置からの要求により動作させるようにしてもよい。
【０１１３】
また、図１８は、与干渉抑圧要求情報によってＡＩＣトーン数を変更する場合のＡＩＣトーン数の変更動作の一例を示すシーケンスチャートである。図１８に示す例では、２次システム送信元装置である当該無線送信装置が与干渉抑圧要求情報を取得し、取得した与干渉抑圧要求情報に応じてＡＩＣトーン数を決定して２次システム送信先装置（例えば、２次システムの基地局または端末局）に通知する例である。
【０１１４】
図１８に示すように、２次システム送信元装置（当該無線送信装置）は、例えば、図１７に示す例と同様の手順により、与干渉抑圧要求情報を取得する。
【０１１５】
与干渉抑圧要求情報を取得した２次システム送信元装置は、取得した与干渉抑圧要求情報１４０２に応じてＡＩＣトーン数を決定し、決定したＡＩＣトーン数を２次システム送信先装置にＡＩＣトーン数通知信号１４０３として通知する。ＡＩＣはＡＩＣトーン数が多いほどＡＩＣによる与干渉抑圧性能が向上し、ＡＩＣトーン数が少ないほど与干渉抑圧性能が低下する。ここで、ＡＩＣトーン数は例えば与干渉抑圧要求が強い場合にＡＩＣトーン数を多くし、与干渉抑圧要求が弱い場合にＡＩＣトーン数を少なくするように決定してもよい。ＡＩＣトーン数の決定は、例えば、Ｔｉｍｅ  ｗｉｎｄｏｗｉｎｇ／ＡＩＣ割当決定部５０９が与干渉抑圧の割当処理の一部やサブキャリアマッピング処理の一部として行ってもよい。
【０１１６】
２次システム送信先装置では、通知されたＡＩＣトーン数通知信号１４０３を参照し、ＡＩＣトーン数に相当するサブキャリアについてはデータとして復調せずに受信処理を行えばよい。
【０１１７】
なお、以上では、与干渉抑圧要求情報１４０２を与干渉測定装置にて決定する例を示したが、与干渉抑圧要求情報１４０２は２次システム送信元装置にて決定することも考えられ、２次システム送信元装置の送信電力密度、１次システムに関するデータベース、ＣＰＣ（Ｃｏｇｎｉｔｉｖｅ  Ｐｉｌｏｔ  Ｃｈａｎｎｅｌ）、センシング結果、与干渉回避帯域幅、与干渉回避帯域からの周波数間隔、２次システム送信装置と１次システム受信装置の伝搬損失、送信ビームの指向性などの情報を判断情報として参照して決定してもよい。
【０１１８】
また、以上では、与干渉抑圧要求情報に応じてＡＩＣトーン数を変更する例を示したが、与干渉抑圧要求情報に応じて部分与干渉回避帯域幅を変更してＡＩＣトーンを生成してもよい。例えば与干渉抑圧要求情報を参照した結果、部分与干渉回避帯域に狭帯域で深いノッチを形成することが望ましい場合は部分与干渉回避帯域幅を小さくする。一方、部分与干渉回避帯域に広帯域で浅いノッチを形成することが望ましい場合は与干渉回避帯域幅を大きくするように変更する。
【０１１９】
この他、ＡＩＣトーン数に応じて部分与干渉回避帯域幅を変更してもよい。例えば、ＡＩＣトーン数が少ない場合は部分与干渉回避帯域幅を小さくし、ＡＩＣトーン数が多い場合は部分与干渉回避帯域幅を大きくしてもよい。
【０１２０】
また、図１９〜図２１は、割当判断情報を基に、与干渉抑圧処理のパラメータ（周波数グループの割当を含む。）を変更する場合のテーブル例を示す説明図である。
【０１２１】
図１９は、与干渉抑圧要求情報に応じてＡＩＣにより与干渉抑圧されるサブキャリア数Ｑを変化させる場合のテーブル例を示す説明図である。図１９に示すように、例えば、与干渉抑圧要求情報は、ＡＩＣによる部分与干渉回避帯域３０６における要求情報と、ＡＩＣによる部分与干渉回避帯域３０６を除く帯域における要求情報のように、１つ以上のパラメータに細分化してもよい。図１９（ａ）は、部分与干渉回避帯域３０６における与干渉抑圧要求情報に対応させて、ＡＩＣにより与干渉抑圧されるサブキャリア数Ｑを保持するテーブルの例を示す説明図である。また、図１９（ｂ）は、ＡＩＣによる部分与干渉回避帯域３０６を除く帯域における与干渉抑圧要求情報に対応させて、ＡＩＣにより与干渉抑圧されるサブキャリア数Ｑを保持するテーブルの例を示す説明図である。
【０１２２】
図１９（ａ）に示すように、例えば、与干渉抑圧要求情報（部分与干渉回避帯域）が弱い場合にはＡＩＣにより与干渉抑圧されるサブキャリア数Ｑを少なくし、与干渉抑圧要求情報（部分与干渉回避帯域）が強い場合にはＡＩＣにより与干渉抑圧されるサブキャリア数Ｑを多くするような値を保持しておき、それに基づいてＡＩＣにより与干渉抑圧されるサブキャリア数Ｑを決定してもよい。
【０１２３】
また、図１９（ｂ）に示すように、例えば、与干渉抑圧要求情報（部分与干渉回避帯域を除く帯域）が強い場合にはＡＩＣにより与干渉抑圧されるサブキャリア数Ｑを少なくし、与干渉抑圧要求情報（部分与干渉回避帯域を除く帯域）が弱い場合にはＡＩＣにより与干渉抑圧されるサブキャリア数Ｑを多くするような値を保持しておき、それに基づいてＡＩＣにより与干渉抑圧されるサブキャリア数Ｑを決定してもよい。
【０１２４】
なお、ＡＩＣにより与干渉抑圧されない送信サブキャリアについては、Ｔｉｍｅ  ｗｉｎｄｏｗｉｎｇにより与干渉抑圧することが好ましいが、Ｔｉｍｅ  ｗｉｎｄｏｗｉｎｇを適用せずに与干渉抑圧処理を行わないようにすることも可能である。
【０１２５】
また、図２０は、与干渉抑圧要求情報に応じてＡＩＣトーン数を変化させる場合のテーブル例を示す説明図である。なお、図２０（ａ）は、部分与干渉回避帯域３０６における与干渉抑圧要求情報に対応させて、ＡＩＣトーン数を保持するテーブルの例を示す説明図である。また、図２０（ｂ）は、ＡＩＣによる部分与干渉回避帯域３０６を除く帯域における与干渉抑圧要求情報に対応させて、ＡＩＣトーン数を保持するテーブルの例を示す説明図である。
【０１２６】
図２０（ａ）に示すように、例えば、与干渉抑圧要求情報（部分与干渉回避帯域）が弱い場合にはＡＩＣトーン数を少なくし、与干渉抑圧要求情報（部分与干渉回避帯域）が強い場合にはＡＩＣトーン数を多くするような値を保持しておき、それに基づいてＡＩＣトーン数を決定してもよい。
【０１２７】
また、図２０（ｂ）に示すように、例えば、与干渉抑圧要求情報（部分与干渉回避帯域を除く帯域）が強い場合にはＡＩＣトーン数を少なくし、与干渉抑圧要求情報（部分与干渉回避帯域を除く帯域）が弱い場合にはＡＩＣトーン数を多くするような値を保持しておき、それに基づいてＡＩＣトーン数を決定してもよい。
【０１２８】
また、図２１は、与干渉抑圧要求情報に応じてＡＩＣによる部分与干渉回避帯域幅を変化させる場合のテーブル例を示す説明図である。なお、図２１（ａ）は、部分与干渉回避帯域３０６における与干渉抑圧要求情報に対応させて、ＡＩＣによる部分与干渉回避帯域幅を保持するテーブルの例を示す説明図である。また、図２１（ｂ）は、ＡＩＣによる部分与干渉回避帯域３０６を除く帯域における与干渉抑圧要求情報に対応させて、ＡＩＣによる部分与干渉回避帯域幅を保持するテーブルの例を示す説明図である。また、図２１（ｃ）は、ＡＩＣトーン数に対応させて、ＡＩＣによる部分与干渉回避帯域幅を保持するテーブルの例を示す説明図である。
【０１２９】
図２１（ａ）に示すように、例えば、与干渉抑圧要求情報（部分与干渉回避帯域）が弱い場合にはＡＩＣによる部分与干渉回避帯域幅を広くし、与干渉抑圧要求情報（部分与干渉回避帯域）が強い場合にはＡＩＣによる部分与干渉回避帯域幅を狭くするような値を保持しておき、それに基づいてＡＩＣによる部分与干渉回避帯域幅を決定してもよい。なお、図２１（ａ）に示す例は、予干渉抑圧要求情報が弱いときにＡＩＣにより広帯域で浅いノッチを形成し、与干渉抑圧要求情報が強いときにＡＩＣにより狭帯域で深いノッチを形成する場合に用いられる。
【０１３０】
また、図２１（ｂ）に示すように、例えば、与干渉抑圧要求情報（部分与干渉回避帯域）が弱い場合にはＡＩＣによる部分与干渉回避帯域幅を狭くし、与干渉抑圧要求情報（部分与干渉回避帯域）が強い場合にはＡＩＣによる部分与干渉回避帯域幅を広くするような値を保持しておき、それに基づいてＡＩＣによる部分与干渉回避帯域幅を決定してもよい。なお、図２１（ｂ）に示す例は、予干渉抑圧要求情報が弱いときにＡＩＣにより狭帯域で深いノッチを形成し、与干渉抑圧要求情報が強いときにＡＩＣにより広帯域で浅いノッチを形成する場合に用いられる。
【０１３１】
また、図２１（ｃ）に示すように、例えば、ＡＩＣトーン数が少ない場合にはＡＩＣによる部分与干渉回避帯域幅を狭くし、ＡＩＣトーン数が多い場合にはＡＩＣによる部分与干渉回避帯域幅を広くするような値を保持しておき、それに基づいてＡＩＣによる部分与干渉回避帯域幅を決定してもよい。
【０１３２】
また、図２２に、与干渉測定装置から２次システム送信元装置（当該無線送信装置）に通知される与干渉抑圧要求情報および割当判断情報としての制御情報）のインタフェース例を示す。図２２（ａ）は、与干渉抑圧要求情報として、部分与干渉回避帯域における要求情報と、部分与干渉回避帯域を除く帯域における要求情報とを通知する例である。図２２（ａ）に示す例では、例えば、要求情報は数値で表され、数値が大きいほど与干渉抑圧の要求度合いが強く、数値が小さいほど与干渉抑圧の要求度が弱いことを示してもよい。なお、部分与干渉回避帯域は送信帯域近傍に、部分与干渉回避帯域を除く帯域は送信帯域遠方に置き換えることも可能である。また、部分与干渉回避帯域における要求情報と部分与干渉回避帯域を除く帯域における要求情報とを分けずに、与干渉回避帯域全域における与干渉抑圧の要求情報として、要求度合いを示す１つの数値として通知してもよい。
【０１３３】
また、図２２（ｂ）は、制御情報のインタフェース例を示す説明図である。図２２（ｂ）に示すように、与干渉抑圧処理のパラメータとなる各種制御情報を、制御情報のインタフェースに基づいて与干渉測定装置等から取得し、各種動作設定に反映することも可能である。図２２（ｂ）に示す例では、制御情報として、ＡＩＣにより与干渉抑圧されるサブキャリア数Ｑと、ＡＩＣによる部分与干渉回避帯域幅と、ＡＩＣによる部分与干渉回避帯域の周波数位置と、ＡＩＣトーン数と、Ｔｉｍｅ  ｗｉｎｄｏｗｉｎｇにおける重複長ＬＯＶとを含む情報を示している。なお、これらの一部を通知するようにしてもよいし、これらの値の上限値や下限値といった制限情報や可変可能範囲を通知することも可能である。
【０１３４】
以上の例では、与干渉抑圧要求情報および各種制御情報を与干渉測定装置から取得する例を示したが、与干渉測定装置は１次システム内または２次システム内に内包される形態であってもよく、独立した装置として存在してもよい。また、与干渉抑圧要求情報および各種制御情報は、２次システム、１次システムまたは１つ以上のシステムを管理する上位装置から取得してもよい。
【０１３５】
また、与干渉抑圧要求情報および各種制御情報は、０または１の二値情報を含む数値で表し、前状態から現状態に状態遷移する際の差分値を通知するようにしてもよい。
【０１３６】
以上のように、本実施形態によれば、２次システムの与干渉回避帯域の与干渉抑圧性能を向上させることができる。また、与干渉抑圧要求情報に応じてＴｉｍｅ  ｗｉｎｄｏｗｉｎｇとＡＩＣを適用するサブキャリアの割当範囲を変更することにより、１次システムへの与干渉を考慮して与干渉回避帯域の漏洩電力密度を柔軟に制御できる。同様に、与干渉抑圧要求情報に応じてＡＩＣトーン数を変更することにより、１次システムへの与干渉を考慮して与干渉回避帯域の漏洩電力密度を柔軟に制御できる。なお、本実施形態の無線送信装置は、ＡＩＣのみを適用する構成と比べて新たなＩＦＦＴ演算を必要とするが、ＩＦＦＴ演算の増加量は畳み込み乗算を行うＤｉｇｉｔａｌ  ｆｉｌｔｅｒや受信装置の誤り訂正復号器と比べると小さくて済む。
【０１３７】
図２３は、本実施形態の効果を示すシミュレーション結果である。図２３において、横軸はサブキャリア、縦軸は電力［ｄＢ］を示している。また、図２３に示すシミュレーション結果は、与干渉回避帯域の両側において２次システムが送信し、与干渉回避帯域の両側に配置される送信信号に本実施形態の与干渉抑圧処理を適用した例である。図２３では、Ｔｉｍｅ  ｗｉｎｄｏｗｉｎｇによる与干渉抑圧伝送信号１３０１と、非特許文献２のＣＣによる与干渉抑圧伝送信号１３０２と、本実施形態による与干渉抑圧伝送信号１３０３の３つの方式による与干渉を比較して示している。各方式において、送信サブキャリア数は５１４本、与干渉回避帯域幅のサブキャリア数Ｎｉ＝８２とした。また、送信帯域と与干渉回避帯域の境界にそれぞれＮＡＩＣ＝２本、両端の合計４本のＡＩＣトーンを配置した。また、ＡＩＣにより与干渉抑圧する送信帯域の干渉源サブキャリア数（Ｑ）は与干渉回避帯域近傍の１５本とし、残りの与干渉回避帯域遠方の干渉源サブキャリアについてはＴｉｍｅ  ｗｉｎｄｏｗｉｎｇにより与干渉抑圧した。なお、与干渉回避帯域のうちＡＩＣによる部分与干渉回避帯域のサブキャリア数はＮｉ＿ｐａｒｔｉａｌ＝３とし、部分与干渉回避帯域を与干渉回避帯域の両端に配置してＡＩＣトーン生成した。また、ＦＦＴサイズはＮ＝１０２４、ＣＰ長ＬＣＰ＝６３、Ｔｉｍｅ  ｗｉｎｄｏｗｉｎｇによる与干渉抑圧伝送信号１３０１のＷｉｎｄｏｗ重複長と本実施形態による与干渉抑圧伝送信号１３０３におけるＴｉｍｅ  ｗｉｎｄｏｗｉｎｇのＷｉｎｄｏｗ重複長は共にＬＯＶ＝１０とし、変調方式はシンボル電力が１になるＱＰＳＫ（Ｑｕａｄｒａｔｕｒｅ  Ｐｈａｓｅ  Ｓｈｉｆｔ  Ｋｅｙｉｎｇ）を用いた。
【０１３８】
図２３から明らかなように、Ｔｉｍｅ  ｗｉｎｄｏｗｉｎｇによる与干渉抑圧伝送信号１３０１は送信帯域近傍の周波数位置において十分な与干渉抑圧効果が得られない。また、非特許文献２のＣＣによる与干渉抑圧伝送信号１３０２は送信帯域から離れた与干渉回避帯域において十分な与干渉抑圧効果が得られない。一方、本実施形態による与干渉抑圧伝送信号１３０３は、与干渉回避帯域全体に渡って十分な与干渉抑圧効果が得られており、帯域外漏洩電力が小さくできることがわかる。
【０１３９】
実施形態３．
次に、本発明の第３の実施形態について図面を参照して説明する。図２４は、第３の実施形態におけるベースバンド部の構成例を示すブロック図である。なお、図２４に示す例は、図１に示す構成において、周波数領域の処理による与干渉抑圧伝送方式としてサブキャリアウェイティングを適用し、時間領域の処理による与干渉抑圧伝送方式としてＴｉｍｅ  ｗｉｎｄｏｗｉｎｇを適用した場合のより具体的な構成の一例である。なお、図２４に示すベースバンド部６００は、図８に示す第２の実施形態におけるベースバンド部５００と比べて、Ｔｉｍｅ  ｗｉｎｄｏｗｉｎｇ／ＡＩＣ割当決定部５０９に替えてＴｉｍｅ  ｗｉｎｄｏｗｉｎｇ／サブキャリアウェイティング割当決定部６０１を備える点、ＡＩＣシンボル生成部５１６に替えてサブキャリアウェイティング部６０２を備える点が異なる。他の点に関しては、第２の実施形態と同様でよい。
【０１４０】
本実施形態では、送信信号の一部のサブキャリア（Ｔｉｍｅ  ｗｉｎｄｏｗｉｎｇを行わない送信信号）について、サブキャリアウェイティングにより与干渉抑圧伝送を行う。サブキャリアウェイティングは、与干渉回避帯域のうちの部分与干渉回避帯域の漏洩サイドローブ電力が小さくなるようにサブキャリア信号に変換されるシンボルに適切な重みを乗算することにより漏洩電力を抑圧する与干渉抑圧伝送方式である。
【０１４１】
Ｔｉｍｅ  ｗｉｎｄｏｗｉｎｇ／サブキャリアウェイティング割当決定部６０１では、送信信号のサブキャリア毎に与干渉抑圧処理を割り当てる際に、第２の実施形態におけるＡＩＣにより与干渉抑圧されるサブキャリア（例えば、図１３に示すサブキャリア３０５）を決定する場合と同様の方法でサブキャリアウェイティングを適用するサブキャリアを決定すればよい。
【０１４２】
サブキャリアウェイティング部６０２では、与干渉回避帯域３０１のうちの部分与干渉回避帯域３０６において、サブキャリアウェイティングにより与干渉抑圧されるサブキャリア３０５の複数サイドローブ成分が合算された結果、小さくなるようにサブキャリア３０５に実数の重み係数を乗算して、後段のＩＦＦＴ５１２−２に出力する。なお、サブキャリアウェイティング部６０２は、サブキャリアウェイティングの変形例として、サブキャリア３０５に複素数の重み係数を乗算してもよい。
【０１４３】
本実施形態のベースバンド部６００の動作は、図１４に示す第２の実施形態におけるベースバンド部５００の動作において、ＡＩＣをサブキャリアウェイティングに置き換えればよい。具体的には、図１４におけるステップＳ１１〜Ｓ１３において、ステップＳ１１の動作を、Ｔｉｍｅ  ｗｉｎｄｏｗｉｎｇ／サブキャリアウェイティング割当決定部６０１が行えばよい。また、ステップＳ１３におけるＡＩＣ処理を行うサブキャリアに対する与干渉抑圧伝送処理を、サブキャリアウェイティング部６０２、ＩＦＦＴ５１２−２、Ｐ／Ｓ変換部５１３−２およびＧＩ付加部５１４−２が行えばよい。なお、他の点に関しては、第２の実施形態と同様でよい。
【０１４４】
サブキャリアウェイティングを適用する場合、ＡＩＣのように漏洩電力抑圧用の専用シンボルを挿入する必要がない利点がある。
【０１４５】
なお、ＡＩＣやサブキャリアウェイティングの他にも、周波数領域の与干渉抑圧伝送方式としてスペクトルコーディングを適用することも可能である。スペクトルコーディングを適用する場合には、例えば、図８に示すＡＩＣシンボル生成部５１６の代わりにサブキャリア信号に変換されるシンボル間に相関を持たせるスペクトルコーディング部を設けてもよい。
【０１４６】
また、時間領域の処理による与干渉抑圧伝送方式も、Ｔｉｍｅ  ｗｉｎｄｏｗｉｎｇに限定されず、例えば、時間領域の処理で周波数をフィルタするデジタルフィルタ等、他の方式を採用することができる。また、周波数領域の処理による与干渉抑圧伝送方式は、ＡＩＣ、サブキャリアウェイティングおよびスペクトルコーディングに限定されず、他の方式を採用することができる。
【０１４７】
また、以上の説明では、割当判断情報として、与干渉抑圧要求情報を用いる例を主に示したが、与干渉抑圧要求情報以外の情報を割当判断情報として用いることも可能である。
【０１４８】
また、以上の説明では、常時Ｔｉｍｅ  ｗｉｎｄｏｗｉｎｇ処理系統とＡＩＣ処理系統とを併用して１個または２個の与干渉回避帯域を与干渉抑圧する例を挙げたが、例えば与干渉回避帯域の個数（１次システム使用帯域の個数）が少ないときはＴｉｍｅ  ｗｉｎｄｏｗｉｎｇ処理系統を停止させてＡＩＣ処理系統のみで与干渉抑圧伝送し、与干渉回避帯域の個数が多いときのみＴｉｍｅ  ｗｉｎｄｏｗｉｎｇ処理系統とＡＩＣ処理系統を併用して与干渉抑圧伝送することも可能である。
【０１４９】
また、以上の説明では、マルチキャリア伝送におけるＯＦＤＭの無線送信装置を例に挙げて説明したが、第１〜３の実施形態の構成は、例えば、シングルキャリア伝送のＤＦＴ（Ｄｉｓｃｒｅｔｅ  Ｆｏｕｒｉｅｒ  Ｔｒａｎｓｆｏｒｍ）−Ｓｐｒｅａｄ  ＯＦＤＭにも適用することができる。
【０１５０】
また、以上の説明では、２次システムに適用する場合を例に挙げたが、第１〜３の実施形態の構成は、１次システムに適用されてもよい。
【０１５１】
また、以上説明した第１〜３の実施形態のベースバンド部は、所定のハードウェア、例えば、回路として具現化することもできる。また、例えば、制御プログラムに基づいて動作する図示しないコンピュータ回路（例えば、ＣＰＵ（Ｃｅｎｔｒａｌ  Ｐｒｏｃｅｓｓｉｎｇ  Ｕｎｉｔ））によって実現することも可能である。これらの制御プログラムは、無線送信装置またはベースバンド部内部の記憶媒体（例えば、ＲＯＭ（Ｒｅａｄ  Ｏｎｌｙ  Ｍｅｍｏｒｙ）やハードディスク等）、あるいは、外部の記憶媒体（例えば、リムーバブルメディアやリムーバブルディスク等）に記憶され、上記コンピュータ回路によって読み出され実行される。なお、ベースバンド部が備える各部を、所定のハードウェアやプログラムに従って動作するＣＰＵ等の組み合わせによって実現することも可能である。
【０１５２】
次に、本発明の概要について説明する。図２５は、本発明の概要を示すブロック図である。図２５に示す無線送信装置７０は、第１の与干渉抑圧処理手段７１と、第２の与干渉抑圧処理手段７２とを備えている。
【０１５３】
第１の与干渉抑圧処理手段７１は、送信信号の一部の周波数帯域の信号に対する周波数領域の処理によって、該信号による与干渉回避帯域への漏洩電力を部分的に抑圧する与干渉抑圧伝送信号を生成する。なお、第１の与干渉抑圧処理手段７１は、上記実施形態では、周波数領域与干渉抑圧処理部１０５やＡＩＣシンボル生成部５１６、サブキャリアウェイティング部６０２として示されている。なお、ＡＩＣシンボル生成部５１６、ＩＦＦＴ５１２−２、Ｐ／Ｓ変換部５１３−２およびＧＩ付加部５１４−２を合わせて第１の与干渉抑圧処理手段７１の例として見ることも可能である。
【０１５４】
第２の与干渉抑圧処理手段７２は、送信信号の一部または全部の周波数帯域の信号に対する時間領域の処理によって、該信号による与干渉回避帯域への漏洩電力を抑圧する与干渉抑圧伝送信号を生成する。なお、第２の与干渉抑圧処理手段７２は、上記実施形態では、例えば、時間領域与干渉抑圧処理部１０４やＴｉｍｅ  ｗｉｎｄｏｗｉｎｇ部５１５、として示されている。なお、ＩＦＦＴ５１２−１、Ｐ／Ｓ変換部５１３−１、ＣＰ付加部５１４−１およびＴｉｍｅ  ｗｉｎｄｏｗｉｎｇ部５１５とを合わせて第２の与干渉抑圧処理手段７２の例として見ることも可能である。
【０１５５】
このような構成により、漏洩電力を抑圧すべき与干渉回避帯域が広い場合であっても、周波数利用効率を下げることなく優れた与干渉抑圧性能を得ることができる。
【０１５６】
なお、第１の与干渉抑圧処理手段は、送信信号のうち与干渉回避帯域に近接する周波数帯域の信号に対して、周波数領域の処理を行ってもよい。
【０１５７】
また、第２の与干渉抑圧処理手段は、送信信号のうち第１の与干渉抑圧処理手段によって周波数領域の処理が行われない周波数帯域の信号に対して、時間領域の処理を行ってもよい。
【０１５８】
また、第１の与干渉抑圧処理手段が漏洩電力を抑圧する対象とする与干渉回避帯域の部分帯域が、送信帯域近傍であってもよい。
【０１５９】
また、図２６は、本発明の無線送信装置の他の構成例を示すブロック図である。図２６に示すように、本発明の無線送信装置は、さらに与干渉抑圧処理割当手段７３を備えていてもよい。与干渉抑圧処理割当手段７３は、所要とする与干渉抑圧の強弱を示す与干渉抑圧要求情報に基づいて、送信信号の周波数帯域に対して、周波数領域の処理によって与干渉抑圧を行う帯域の範囲と、時間領域の処理によって与干渉抑圧を行う帯域の範囲とを決定する。なお、与干渉抑圧処理割当手段７３は、上記実施形態では、与干渉抑圧伝送割当決定部１０２やＴｉｍｅ  ｗｉｎｄｏｗｉｎｇ／ＡＩＣ割当決定部５０９、Ｔｉｍｅ  ｗｉｎｄｏｗｉｎｇ／サブキャリアウェイティング割当決定部６０１として示されている。
【０１６０】
また、無線送信装置は、さらに動作パラメータ変更手段７４を備えていてもよい。動作パラメータ変更手段７４は、所要とする与干渉抑圧の強弱を示す与干渉抑圧要求情報または与干渉抑圧処理のパラメータとなる所定の制御情報に基づいて、第１の与干渉抑圧処理手段または第２の与干渉抑圧処理手段の動作パラメータを変化させる。なお、動作パラメータ変更手段７４は、上記実施形態では、与干渉抑圧伝送割当決定部１０２の一機能として示されている。
【０１６１】
動作パラメータ変更手段は、例えば、与干渉抑圧要求情報または所定の制御情報に応じて、漏洩電力抑圧信号の数を変更し、変更後の漏洩電力抑圧信号の数を送信先装置に通知してもよい。
【０１６２】
また、例えば、与干渉抑圧要求情報または所定の制御情報に応じて、第１の与干渉抑圧処理手段が漏洩電力を抑圧する対象とする与干渉回避帯域の部分帯域の帯域幅を変更してもよい。
【０１６３】
また、図２６に示すように、第１の与干渉抑圧処理手段は、与干渉回避帯域において部分的に漏洩電力を抑圧する信号である漏洩電力抑圧信号を生成する漏洩電力抑圧信号生成手段を含み、第２の与干渉抑圧処理手段は、時間領域のシンボル波形の整形を行うシンボル波形整形手段を含む構成であってもよい。
【０１６４】
また、漏洩電力抑圧信号生成手段は、与干渉回避帯域の情報と、周波数領域の処理による与干渉抑圧の対象とされた送信信号が周波数マッピングされた送信シンボルの情報とを入力し、送信シンボルとして、与干渉回避帯域の部分帯域への漏洩電力を抑圧するシンボルである与干渉除去シンボルを挿入した送信信号を生成する与干渉除去シンボル生成手段と、与干渉除去シンボル生成手段から供給される送信信号を入力し、送信信号に対して逆フーリエ変換処理を行い、サブキャリア信号を生成する逆フーリエ変換手段と、逆フーリエ変換手段から供給されるサブキャリア信号を入力し、サブキャリア信号をシリアル信号に変換して出力するパラレル／シリアル変換手段と、パラレル／シリアル変換手段から供給される信号を入力して、逆フーリエ変換が行われた送信フレーム毎にガードインターバルを付加するガードインターバル付加手段とを有する構成であってもよい。
【０１６５】
また、本発明による無線送信装置は、周波数領域の処理によって与干渉抑圧を行う帯域の範囲および時間領域の処理によって与干渉抑圧を行う帯域の範囲が、無線リソースの単位で決定されてもよい。
【０１６６】
また、本発明による無線送信装置は、周波数領域の処理によって与干渉抑圧を行う帯域の範囲および時間領域の処理によって与干渉抑圧を行う帯域の範囲が、サブキャリア単位で決定されてもよい。
【０１６７】
（付記１）本発明による無線送信装置は、送信信号を周波数領域で分離する信号分離手段と、信号分離手段から供給される分離信号に対して周波数領域の処理を行い、該信号による与干渉回避帯域への漏洩電力を部分的に抑圧する与干渉抑圧伝送信号を生成する第１の与干渉抑圧処理手段と、信号分離手段から供給される分離信号に対して時間領域の処理を行い、該信号による与干渉回避帯域への漏洩電力を抑圧する与干渉抑圧伝送信号を生成する第２の与干渉抑圧処理手段とを備え、信号分離手段は、送信信号を、無線リソースを単位に第１の与干渉処理手段によって与干渉処理されるグループと、第２の与干渉処理手段によって与干渉処理されるグループのいずれか一方に分けてもよい。
【０１６８】
（付記２）本発明による無線送信装置において、シンボル波形整形手段は、時間領域の処理による与干渉抑圧の対象とされた送信信号を入力して、送信信号に対して逆フーリエ変換処理を行い、サブキャリア信号を生成する逆フーリエ変換手段と、逆フーリエ変換手段から供給されるサブキャリア信号を入力し、サブキャリア信号をシリアル信号に変換して出力するパラレル／シリアル変換手段と、パラレル／シリアル変換手段から供給される信号を入力して、逆フーリエ変換が行われた送信フレーム毎にサイクリックプレフィックスを付加するサイクリックプレフィックス付加手段と、サイクリックプレフィックス付加手段から供給されるサイクリックプレフィックスが付加された信号を入力して、時間領域のシンボルの両端を波形整形するシンボル両端波形整形手段とを有していてもよい。
【０１６９】
（付記３）また、本発明による無線送信方法において、送信信号のうちの与干渉回避帯域に近接する周波数帯域の信号に対して、周波数領域の処理を行ってもよい。
【０１７０】
（付記４）また、本発明による無線送信方法において、送信信号のうち周波数領域の処理による与干渉抑圧伝送信号の生成を行わない周波数帯域の信号に対して、時間領域の処理を行ってもよい。
【０１７１】
なお、周波数領域の処理による与干渉抑圧伝送信号の生成処理と時間領域の処理による与干渉抑圧伝送信号の生成処理とは、並列処理であってもよいし、周波数領域の処理による与干渉抑圧伝送信号の生成処理の後に時間領域の処理による与干渉抑圧伝送信号の生成処理が実行されてもよい。
【０１７２】
（付記５）また、本発明による無線送信方法は、所要とする与干渉抑圧の強弱を示す与干渉抑圧要求情報に基づいて、送信信号の周波数帯域に対して、周波数領域の処理によって与干渉抑圧を行う帯域の範囲と、時間領域の処理によって与干渉抑圧を行う帯域の範囲とを決定してもよい。
【０１７３】
（付記６）また、本発明による無線送信プログラムは、コンピュータに、第１の与干渉抑圧処理で、送信信号のうち与干渉回避帯域に近接する周波数帯域の信号に対して、周波数領域の処理を行わせてもよい。
【０１７４】
（付記７）また、本発明による無線通信システムにおいて、無線送信装置が与干渉抑圧処理として実施する送信信号の一部の信号に対する周波数領域の処理および送信信号の一部または全部の信号に対する時間領域の処理のパラメータとなる所定の制御情報が、送信信号のうち周波数領域の処理により与干渉抑圧される無線リソースの数と、周波数領域の処理において漏洩電力を抑圧する対象とする与干渉回避帯域の部分帯域の帯域幅と、周波数領域の処理において漏洩電力を抑圧する対象とする与干渉回避帯域の部分帯域の周波数位置と、周波数領域の処理において漏洩電力を抑圧するために生成される漏洩電力抑圧信号数と、時間領域の処理においてシンボル波形生成の対象となる前後シンボルの重複長とのうちの少なくともいずれかであってもよい。
【０１７５】
以上、実施形態及び実施例を参照して本願発明を説明したが、本願発明は上記実施形態および実施例に限定されるものではない。本願発明の構成や詳細には、本願発明のスコープ内で当業者が理解し得る様々な変更をすることができる。
【０１７６】
この出願は、２０１０年２月２３日に出願された日本特許出願２０１０−０３７８５１を基礎とする優先権を主張し、その開示の全てをここに取り込む。
【産業上の利用可能性】
【０１７７】
本発明は、送信帯域以外の帯域への与干渉を抑圧して無線信号を送信する必要がある装置、方法、プログラムであれば好適に適用可能である。
【符号の説明】
【０１７８】
７０  無線送信装置
７１  第１の与干渉抑圧処理手段
７２  第２の与干渉抑圧処理手段
７３  与干渉抑圧処理割当手段
７４  動作パラメータ変更手段
１００  ベースバンド部
１０１  変調部
１０２  与干渉抑圧伝送割当決定部
１０３  信号分離部
１０４  時間領域の処理による与干渉抑圧伝送部（時間領域与干渉抑圧処理部）
１０５  周波数領域の処理による与干渉抑圧伝送部（周波数領域与干渉抑圧処理部）
１０６  合成部
５００  ベースバンド部
５０１  符号化部
５０２  インタリーバ
５０３  変調部
５０４  Ｓ／Ｐ変換部
５０９  Ｔｉｍｅ  ｗｉｎｄｏｗｉｎｇ／ＡＩＣ割当決定部
５１０  センシング部
５１１  サブキャリアマッピング部
５１２−１、２  ＩＦＦＴ
５１３−１、２  Ｐ／Ｓ変換部
５１４−１  ＣＰ付加部
５１４−２  ＧＩ付加部
５１５  Ｔｉｍｅ  ｗｉｎｄｏｗｉｎｇ部
５１５１  Ｔａｉｌ領域コピー部
５１５２  時間領域波形整形部
５１５３  前後ＯＦＤＭシンボル重複部
５１６  ＡＩＣシンボル生成部
５１６１  ＡＩＣ係数生成部
５１６２  ＡＩＣ係数乗算部
５１６３  ＡＩＣシンボル挿入部
５１７  加算部
６００  ベースバンド部
６０１  Ｔｉｍｅ  ｗｉｎｄｏｗｉｎｇ／サブキャリアウェイティング割当決定部
６０２  サブキャリアウェイティング部
８０１  Ｈｅａｄ  ｗｉｎｄｏｗ
８０２  ＯＦＤＭシンボル
８０３  Ｔａｉｌ  ｗｉｎｄｏｗ
１４０１  下り又は上り信号
１４０２  与干渉抑圧要求情報
１４０３  ＡＩＣトーン数通知信号
【図１】
2011104998.tif 000008
【図２】
2011104998.tif 000009
【図３】
2011104998.tif 000010
【図４】
2011104998.tif 000011
【図５】
2011104998.tif 000012
【図６】
2011104998.tif 000013
【図７】
2011104998.tif 000014
【図８】
2011104998.tif 000015
【図９】
2011104998.tif 000016
【図１０】
2011104998.tif 000017
【図１１】
2011104998.tif 000018
【図１２】
2011104998.tif 000019
【図１３】
2011104998.tif 000020
【図１４】
2011104998.tif 000021
【図１５】
2011104998.tif 000022
【図１６】
2011104998.tif 000023
【図１７】
2011104998.tif 000024
【図１８】
2011104998.tif 000025
【図１９】
2011104998.tif 000026
【図２０】
2011104998.tif 000027
【図２１】
2011104998.tif 000028
【図２２】
2011104998.tif 000029
【図２３】
2011104998.tif 000030
【図２４】
2011104998.tif 000031
【図２５】
2011104998.tif 000032
【図２６】
2011104998.tif 000033
【図２７】
2011104998.tif 000034
【図２８】
2011104998.tif 000035
【図２９】
2011104998.tif 000036
【図３０】
2011104998.tif 000037
【国際調査報告】
2011104998.tif 000038
2011104998.tif 000039
2011104998.tif 000040
2011104998.tif 000041